(57)【要約】【課題】従来のクリップは、複数枚の用紙を挟持保持した状態から一枚目を抜取ると２枚目以降の用紙が一挙に脱落してしまう重大な欠点課題があった。【解決手段】具体的実施例では、透明性の表面パネルと裏面ブラケットの対向壁の一部に下部から上部に拡がる傾斜壁部を備えると共に該部にロ−ラ−やボ−ルの転動体からなる用紙押圧部材を配設して前記表面パネルと裏面ブラケットの開口下部に挿入口を、開口上部を抜取口として端部を合体支持構成し、下部挿入口から挿入した用紙を表面パネルと前記転動間に挟持保持し、該複数枚の挟持紙から順次一枚ずつを上部に抜取る構成により課題解決を図ったペーパーホルダーである。特に、本ペーパーホルダーはメモ紙のクリップ用やキーボードからの入力作業時にモニタ側方に原稿を保持する所謂原稿ホルダーとして用いた場合等に効果を発揮する。【選択図】    図４
2004160953.tif 000002
【特許請求の範囲】
【請求項１】
表面パネルと裏面ブラケットとを備えて双方を少なくとも、一端部で合体支持構成したことと前記表面パネルと裏面ブラケットの対向壁部において、前記表面パネルの内壁に対して用紙を押圧力で挟持し得る様にした用紙押圧部材を配設したことと、前記表面パネルと裏面ブラケット間の対向下部と上部とに夫々開口部を設けたこととにより構成され、該開口下部や横方向から挿入した用紙を前記表面パネル内壁と前記押圧部材間に挟持し、該挟持保持された用紙を前記開口上部から取出す様に構成したペ−パ−ホルダ−。
【請求項２】
表面パネルと裏面ブラケットを備えて双方の両端部を合体支持構成したことと、前記表面パネルと裏面ブラケットの対向壁部において、前記表面パネルの内壁に対して用紙を押圧力で挟持し得る様にした用紙押圧部材を配設したことと、前記表面パネルと裏面ブラケット間の対向下部と上部とに夫々開口部を設けたこととにより構成され、該開口下部から挿入した用紙を前記表面パネル内壁と前記押圧部材間に挟持し、該挟持保持された用紙を前記開口上部から取出す様に構成したペ−パ−ホルダ−。
【請求項３】
表面パネルと裏面ブラケットを備えて双方の両端部を合体支持構成したことと、前記表面パネルと裏面ブラケットの対向壁部断面が下部から上部に拡がる傾斜部を備え、該傾斜対向壁部に前記表面パネルの内壁に対して用紙を押圧力で挟持し得る様にした複数個の転動体からなる押圧部材を配設したことと、前記開口下部から挿入した用紙を前記表面パネル内壁と前記転動体間に導入する挿入ガイド部を前記裏面ブラケットの開口下部に設け、前記開口下部から挿入した用紙が前記表面パネルの内壁と前記転動体間に挟持され、該挟持保持した用紙を開口上部から取出す様に構成したペ−パ−ホルダ−。
【請求項４】
表面パネルと裏面ブラケットを備えて双方の両端部を合体支持構成したことと、前記表面パネルと裏面ブラケットの対向壁部断面が下部から上部に拡がる傾斜部を備えた少なくとも該傾斜対向壁の中間部に、前記表面パネルの内壁に対して用紙を押圧力で挟持し得る様にした転動体の押圧部材を配設したことと、前記表面パネルと裏面ブラケット間の対向下部を開口して用紙挿入口とすると共に、前記対向上部の両端部が直線に対して表面パネル側に折れ曲った形状に開口加工されて用紙取出し口としたこととで構成され、該開口下部から挿入した用紙を前記表面パネル内壁と前記転動体の押圧部材間に挟持し、該挟持された用紙が前記開口上部から湾曲状になって取出される様に構成したペーパーホルダー。
【請求項５】
表面パネルに透明性の樹脂素材を用いると共に該透明性の表面パネルの一部に水平線を形成し、原稿用紙の移送操作と関連して原稿入力行の視認が可能な様に構成した前記請求項１乃至請求項４の何れかのペ−パ−ホルダ−。
【請求項６】
表面パネルと裏面ブラケットを備えて双方を合体支持構成したペーパーホルダーを用い、該不使用時はモニタ筐体にコンパクトに収納状態ととし、使用時は前記モニタの側方に配置した状態として前記開口下部から挿入した原稿用紙を前記表面パネル内壁と前記押圧部材間に挟持し、且つ、原稿用紙を開口上部から取出す様に構成した請求項１乃至請求項４の何れかのペ−パ−ホルダ−を用いたモニタ用原稿ホルダー。
【請求項７】
表面パネルと裏面ブラケットの両端部を合体支持構成すると共に両端部に回動穴を設け、前記回動穴嵌挿用の回動シャフトを備えた保持ブラケットをモニタ筐体に取付ける構成により、モニタ左右両側方の何れの取付け配置にも対応可能な様に構成した請求項２乃至請求項４の何れかのペ−パ−ホルダ−を用いたモニタ用の原稿ホルダー。
【発明の詳細な説明】
【０００１】
【発明の属する技術分野】
本発明は、用紙をクリップ保持したりパソコンへの入力作業時等の原稿用紙や各種資料紙等を一時的に挟持保持し、更に、保持した用紙から用済みの１枚づつを順次に取出す機能を備えたペ−パ−ホルダ−に係る。
【０００２】
【従来の技術】
従来、用紙をクリップ挟持保持する代表的な用具としてバネ式クリップ、マグネット、鋲、接着式等のものが用いられている。例えば、パーソナルコンピュータ（パソコン）等への入力作業時に原稿書類をモニタ近くに挟持する保持具としては図２６に例示する様なデータスタンド８６等が古くから普及している。
即ち、図２６のデータスタンド８６は、例えば、図示する様な台座に角度や高さ調整機構を備えたスタンド８７にボード８８が取付けられ、該ボード８８上にクリップ８９やカーソル９０が配設された原稿用紙８の保持具である。更に、同様な機能の原稿保持具としては複数の関節調整アームを備えてテーブル縁部等に挟み金具やネジで固定する形式のものも古くから知られている。しかし、従来のクリップやマグネット式の紙挟みでは、複数枚の用紙を挟持保持した状態から表面の１枚目づつを抜取ると、殆どの場合、残りの他の用紙も一挙に抜け落ちてしまう大きな欠点がある。
又、ローラーやボールの転動体を用いて用紙を押圧挟持するようにしたもの（例えば、特許文献１、特許文献２、特許文献３参照）や、ゴム素材を植毛状に突き合わせて用紙を挟持保持するように構成した文献（例えば、特許文献４参照）が開示されているが、何れの開示技術も予め複数枚の用紙保持状態から１枚づつの用紙を順次に抜き取る使用目的には供し得ないのである。
【０００３】
【特許文献１】
実開昭５３−７６０２５号公報（第１頁、第1―２図）
【特許文献２】
特許第２９７２５７８号公報（第１―３頁、第６図）
【特許文献３】
特許第５９−４４２３６号公報（第1―３頁、第1―５図）
【特許文献４】
特許第２５２９６１７号公報（第１―１７頁、第１−１４図）
【０００４】
前記４件の先行技術文献の開示技術内容に関し、特に、本特許願の構成内容と係りのあるロ−ラ−（丸棒）やボ−ル（球体）を用いた所謂転動体で用紙を挟持保持する様にした構成内容について、本発明と公知技術の構成差異を明らかにする為にも前記代表的特許文献の要部図面を図２２以降に引用し、該引用図面を参照しつつ順次説明する。
先ず、図２２は前記特許文献１の実開昭５３−７６０２５号公報の第２図でメモ用紙挟み７０として開示されている断面図を引用したものである。本メモ用紙挟み７０は図２２に図示する様に、台板７１に対して傾斜面が加工された金属金具７２を取付けると共に該内部にロ−ラ−１１を配設して下側から挿入した用紙８を台板７１とロ−ラ−１１間に挟持保持し、用紙８を矢印で示す上側に取出す様に構成した用紙挟みである。
【０００５】
図２３は、前記特許文献２の特許第２９７２５７８号公報に従来例の紙片保持具７３として開示されている文献から引用した第６図の斜視図である。この紙片保持具７３は図示の様に係止片７４と折曲げた舌片７５間の斜面にローラー１１を配設し、開口下部から挿入した原稿６をローラー１１で係止片７４側に押圧挟持して開口下部や横方向に用紙８を取出す様にした構成である。
【０００６】
図２４は、前記特許文献３の特許第５９−４４２３６号公報に壁面取付型ホルダー７６として記載されている第５図を引用した斜視図である。この開示技術では図示の様に直径を異にする複数個のボ−ル１９を縦方向に配設し下矢印方向から挿入した用紙１１を複数個のボ−ル１９で取付板７７に押圧挟持して、白矢印Ｂの横方向に抜取る構成である。
しかし、図２４には複数枚の用紙８を保持した状態が示されているが、複数個のボ−ル１９を図示の様に縦方向に並べた配置で取付板７７とボール１９間に挟持した複数枚の用紙８から１枚目を矢印のＢ方向に引き抜くと、用紙間の相互摩擦力で２枚目以降の他の用紙も同時に引きずられて一挙に脱落されてしまうことは明らかである。
【０００７】
次に、図２５は前記特許文献４の特許第２５２９６１７号公報にワンタッチ紙挟み８０として示されている公知文献から引用した第２図の断面図である。このワンタッチ紙挟み８０は、図示の様に多数のゴム製のヒゲ８３を植毛してゴムヒゲ板８４と称するものを形成し、該ゴムヒゲ板８４を正面枠板８１と背面枠板８２に取付けて接合８５し、下側から挿入した用紙を突合せたゴムヒゲの弾力で挟持保持する様にしたもので実際に製品として具現化されている。
しかし、該製品化されたものに実際に１０枚前後のＡ４サイズの原稿用紙を挟持した状態として表側の１枚目を引き抜くと、２枚目以降の残り用紙が一挙に抜け落ちてしまう欠点があり、同時に複数枚の原稿をセットした状態から用済みの原稿を順次１枚づつ抜取る使用目的には供し得ない。
【０００８】
ところで、前記特許文献中のロ−ラ−１１やボ−ル１９の所謂転動体で用紙１１を基板間に挟持する様に構成した前記各開示技術では、用紙８を前記特許文献１の図２２では台板７１とローラー１１間に、特許文献２の図２３では係止片７４とローラー１１間に、そして、特許文献３の図２４では取付板７７とボール１９間に挟持する構成である。即ち、下側から挿入した用紙を背面基板と転動体間に挟持保持する用紙挟持方法が前記三つの特許文献に全く共通した構成上の特徴となっている。
しかし、図１、図２の実験モデルの図面に基づいて後述する様に前記ロ−ラ−１１やボ−ル１９の所謂転動体で用紙８を背面基板と前記転動体間に挟持する公知技術では、単に用紙８を挟持保持する目的は果たせ得ても本発明が目的とする機能、即ち、予め複数枚の用紙を挟持した状態から用済みの１枚づつを順次に抜取る使用目的のペーパーホルダー機能は前記何れの公知技術の構成によっても達成し得ないのである。
【０００９】
【発明が解決しようとする課題】
本発明が解決しょうとする課題を項目別に分けて記述すると次の通りである。
（１）従来の用紙類の挟持用具に関する課題
前記図２６に例示した代表的な原稿挟持具としては、従来から板バネ式、スプリング式のクリップやプラスチックの成型品、マグネット、鋲、弾性ゴム、接着式等のものが広く用いられている。
クリップやマグネット式の挟持具では、挟持操作に両手を必要とする等の操作性の不便さもあるが、例えば、前記図２６のデータスタンド８６に予め複数枚の原稿用紙８をクリップ８９した状態から、入力済みの表の１枚目を抜取った場合は他の原稿も一挙に抜け落ちてしまう大きな欠点がある。従って、前記多くの特許文献における開示技術の原稿保持具を含め従来のクリップ機構は、全て１枚づつの原稿を一々着脱することを必要とする煩わしい不便課題があり入力作業の効率低下の原因にもなっていた。
本ペーパーホルダーの第１は、予め複数枚の原稿挟持状態から入力済みの１枚づつの原稿を順次抜き取る機能目的を簡単な構成によって達成し、入力作業を高効率で行い得る画期的な原稿ホルダーの提供を目的とする（図４参照）。
【００１０】
（２）簡単な挟持機構での原稿入力行（カーソル）の視認機能の実現
前記項の課題解消と関連して原稿掲載用のボード板を用いることなく、原稿を吊り下げ挟持する簡単構成のペーパーホルダーを用いて原稿用紙の微細な移送操作と関連して、本ペーパーホルダーの第２の目的は入力行単位の視認を可能とし従来のカ−ソル送りと同様機能を実現することである（図４、図５参照）。
（３）原稿を引上げた際の折れ曲り防止機能の実現
前記項の入力行の視認機能と関連して、本ペーパーホルダーの第３の目的は原稿を最終行近傍の端部まで引上げた場合にも、原稿用紙の折れ曲り（倒れ）防止機能を備えたペーパーホルダーの実現を図ることである。
該折れ曲り防止機能を備えることで、例えば、座高の低いノート型でペーパーホルダーから原稿を吊り下げた場合にも端部が机上に接触し折曲がる課題が良好に解消される（図５、図２１参照）。
【００１１】
（４）従来の原稿挟持具に関する課題
例えば、前記図２６に例示したデータスタンド等の従来の原稿保持具における一番の欠点は、使用時及び不使用時の別なく設置スペースを占有し机上の作業スペースを狭くしてしまうことと、保持した原稿が一般的にはモニタ画面に対して最も見易い高さの最近接配置に設置されず入力行が視認し難く目が疲れることである。
即ち、本ペーパーホルダーの第４の目的はモニタ用の原稿ホルダーとした場合に不使用時はモニタ枠に折畳めてスペースを不用とし、使用時にのみに開いて原稿保持すると共にモニタ左右側方の何れの取付け配置にも対応可能とした構成である（原稿の随時の追加や差し替えはも勿論可能である）。
【００１２】
【課題を解決する為の手段】
本発明の第１は、表面パネルと裏面ブラケットとを備えて双方を少なくとも、一端部で合体支持構成したことと前記表面パネルと裏面ブラケットの対向壁部において、前記表面パネルの内壁に対して用紙を押圧力で挟持し得る様にした用紙押圧部材を配設したことと、前記表面パネルと裏面ブラケット間の対向下部と上部とに夫々開口部を設けたこととにより構成され、該開口下部や横方向から挿入した用紙を前記表面パネル内壁と前記押圧部材間に挟持し、該挟持保持された用紙を前記開口上部から取出す様に構成したペ−パ−ホルダ−である。
【００１３】
本発明の第２は、表面パネルと裏面ブラケットを備えて双方の両端部を合体支持構成したことと、前記表面パネルと裏面ブラケットの対向壁部において、前記表面パネルの内壁に対して用紙を押圧力で挟持し得る様にした用紙押圧部材を配設したことと、前記表面パネルと裏面ブラケット間の対向下部と上部とに夫々開口部を設けたこととにより構成され、該開口下部から挿入した用紙を前記表面パネル内壁と前記押圧部材間に挟持し、該挟持保持された用紙を前記開口上部から取出す様に構成したペ−パ−ホルダ−である。
【００１４】
本発明の第３は、表面パネルと裏面ブラケットを備えて双方の両端部を合体支持構成したことと、前記表面パネルと裏面ブラケットの対向壁部断面が下部から上部に拡がる傾斜部を備え、該傾斜対向壁部に前記表面パネルの内壁に対して用紙を押圧力で挟持し得る様にした複数個の転動体からなる押圧部材を配設したことと、前記開口下部から挿入した用紙を前記表面パネル内壁と前記転動体間に導入する挿入ガイド部を前記裏面ブラケットの開口下部に設け、前記開口下部から挿入した用紙が前記表面パネルの内壁と前記転動体間に挟持され、該挟持保持した用紙を開口上部から取出す様に構成したペ−パ−ホルダ−である。
【００１５】
本発明の第４は、表面パネルと裏面ブラケットを備えて双方の両端部を合体支持構成したことと、前記表面パネルと裏面ブラケットの対向壁部断面が下部から上部に拡がる傾斜部を備えた少なくとも該傾斜対向壁の中間部に、前記表面パネルの内壁に対して用紙を押圧力で挟持し得る様にした転動体の押圧部材を配設したことと、前記表面パネルと裏面ブラケット間の対向下部を開口して用紙挿入口とすると共に、前記対向上部の両端部が直線に対して表面パネル側に折れ曲った形状に開口加工されて用紙取出し口としたこととで構成され、該開口下部から挿入した用紙を前記表面パネル内壁と前記転動体の押圧部材間に挟持し、該挟持された用紙が前記開口上部から湾曲状になって取出される様に構成したペーパーホルダーである。
【００１６】
本発明の第５は、表面パネルに透明性の樹脂素材を用いると共に該透明性の表面パネルの一部に水平線を形成し、原稿用紙の移送操作と関連して原稿入力行の視認が可能な様に構成した前記前記第１の発明乃至第４の発明のペ−パ−ホルダ−である。
【００１７】
本発明の第６は、表面パネルと裏面ブラケットを備えて双方を合体支持構成したペーパーホルダーを用い、該不使用時はモニタ筐体にコンパクトに収納状態ととし、使用時は前記モニタの側方に配置した状態として前記開口下部から挿入した原稿用紙を前記表面パネル内壁と前記押圧部材間に挟持し、且つ、原稿用紙を開口上部から取出す様に構成した請求項１乃至請求項４の何れかのペ−パ−ホルダ−を用いたモニタ用原稿ホルダーである。
【００１８】
本発明の第７は、表面パネルと裏面ブラケットの両端部を合体支持構成すると共に両端部に回動穴を設け、前記回動穴嵌挿用の回動シャフトを備えた保持ブラケットをモニタ筐体に取付ける構成により、モニタ左右両側方の何れの取付け配置にも対応可能な様に構成した前記第２発明乃至第４発明の何れかのペ−パ−ホルダ−を用いたモニタ用の原稿ホルダーである。
【００１９】
【発明の実施の形態】
さて、本発明はペーパーホルダーの用紙保持機能として前記従来のクリップや前記特許文献の何れの開示技術によっても達成し得なかった複数枚の用紙保持状態から、入力済み後に１枚づつの用紙を順次に抜取った場合にも２枚目以降の用紙（本発明では用紙のことを原稿、又は、原稿用紙と称して説明することもある）が落脱することのない画期的な機能のペーパーホルダーを簡単な構成で実現することを狙いとする。
又、本ペーパーホルダーの具体的実施例としては、所謂、パソコンやワープロからキーボード入力する際にモニタ筐体に取付けて原稿を掲示する後付け用の別体型（本発明では、別体型と称して説明することもある）やモニタ筐体への組込み用としての一体型（本発明では、単に一体型と称して説明することもある）として好適な原稿ホルダーの提供を目的とする。
【００２０】
本特許願では、構成要部を理解し易くする為に同一図番中での各構成部分の名称（用語）について、同様な作用をする部分に関しては同様な名称や符号を用いて各図面中に記載し以下図面と共に説明する。
先ず、図１、図２、図３は本ペ−パ−ホルダ−の基本動作を説明する為の実験モデル１ｊである。即ち、図１は長方形のボ−ド板４に対して、例えば、傾斜角を１０°位で切削した２枚の三角板１６ａ、１６ｂと表面パネル２（アクリル板等透明素材が望ましい）を用意し、三角板１６ａ，１６ｂを２２０ｍｍ位の寸法に離間配置して表面パネル２の両端部を図示の様に４本の固定ネジ６ａ〜６ｄで三角板と共にボ−ド４に固定する。この時、表面パネル２の下端部は用紙の挿入口９として用いる為、ボード板４から３ｍｍ程度離間して固定する。
さて、図１は前記の様に構成したボ−ド板４と表面パネル２の対向傾斜壁面に対し、直径が５ｍｍ位の例えばアクリル製の丸棒やアルミパイプからなるロ−ラ−１１の転動体を配設したペ−パ−ホルダ−の実験モデル１ｊである。なお、用紙は下矢印の挿入口９から挿入して上矢印への取出し１０とした構成である。
【００２１】
次に、図２は前記図１と同様の構成により用紙押圧部材として３個のボール１９の転動体を用いたペーパーホルダーの実験モデル１ｊに関し、各々のボール１９は案内壁１８で囲んでガイドされる構成としてある。
さて、図３（ａ）、図３（ｂ）は前記図１、図２の実験モデル１ｊに対して、挿入口９からＮ枚の用紙８を挿入保持した状態における夫々のＡ−Ａ線での拡大断面図である。特に、図３（ａ）、図３（ｂ）はボ−ド４の壁面と転動体２０（本発明では、前記ローラー１１とボール１９を総称する場合は転動体２０と称して説明する）に用紙８が挟持される構成状況を示している。そこで、ボ−ド４と転動体２０間に挟持保持されたＮ枚の用紙８から、今、１枚目を取出し方向１０に取出した瞬間の状況を示したのが図３（ｂ）である。実は、この用紙保持状況は前記図２２の開示技術と全く同様構成であり、更に、前記図２３や図２４の公知技術に対して仮に上端部を開口した状態とし、片舌７５や斜板７９を端部で支持構成して用紙保持した場合も図３（ａ）、図３（ｂ）と全く同様な結果になる。
即ち、この用紙挟持方法では図３（ｂ）に示す様に１枚目の用紙を取出した瞬間、転動体２０が矢印方向に遊動されると共に転動体２０が用紙８から遊離されて押圧挟持されていた用紙８の挟持力が解消されので残りの用紙８が一挙に脱落されてしまうことは明らかである。
【００２２】
本発明のペ−パ−ホルダ−１は、図３（ｃ）、図３（ｄ）の参照説明により構成内容が明らかになる。図３（ｃ）、図３（ｄ）は前記図１や図２におけるＡ−Ａ線での拡大断面を示したものであるが、特に、この場合の実験モデルでは図示の様に転動体で用紙８を押圧挟持する対象壁面が前記図３（ａ）、図３（ｂ）とは逆配置の関係とした点に構成上の特徴がある。
そこで、図３（ｃ）、図３（ｄ）では図示の様にＮ枚の用紙８が表面パネル２内壁と転動体２０間に挿入されて表面パネル２の内壁面に挟持保持された状況を示し、今、図３（ｃ）に示すＮ枚の用紙８挟持状態から表面パネル２に接した１枚目の用紙を上矢印方向１０に、取出した瞬間の状況を示したのが図３（ｄ）の断面図であるが、この挟持構成とした場合は２枚目以降の他の用紙は一切抜け落ちず保持されたままの状態になる。
即ち、本ペーパーホルダーの用紙挟持方法は図３（ｃ）、図３（ｄ）を基本構成とし、下部から挿入した用紙を表面パネル２と転動体２０に導いて挟持保持し開口上部の取出口１０に取出す様にしたペーパーホルダーである。更に、本ペーパーホルダーでは後述する様に用紙を微細間隔で徐々に引上げ係止する機能を活用し、表面パネル２に透明素材を用いると共に該表面パネル２にカーソル線を形成することと関連して入力行の視認が出来、前記用紙保持機能と関連して入力作業が楽に、且つ、効率時行い得る。
【００２３】
本発明に係る基本構成の要点を理解し易くする為に、図３（ｃ）、図３（ｄ）〔図４（ｂ）、図８（ｂ）及び図９（ｅ）参照〕を参照しつつ具体的内容を列記すると以下の通りである。即ち
（１）挟持保持されたＮ枚の用紙８相互間には、用紙の摺動摩擦力が作用する。
（２）転動体２０の質量に応じた傾斜対向壁面への分散された力のベクトルの内、表面パネル２方向への力が、Ｎ枚の用紙８を表面パネル２内壁に大きな食い込み力による強い押圧力で押圧する。
（３）図３（ｄ）の様に、１枚目の用紙を矢印１０方向に引き抜いた瞬時に（該抜取り速度の如何に関わらず）前記図３（ｂ）の状況の如く、転動体２０が遊動されることなく、２枚目の用紙と表面パネル２の内壁間には空隙は生じない。
（４）従って、図３（ｄ）に図示する様に挟持保持されたＮ枚から１枚目の用紙を矢印１０方向に抜取った場合、抜取られる１枚目から２枚目以降に及ぼす上向きの重力に抗した摩擦力が、転動体２０からの押圧力によりＮ枚目から２枚目に及ぼす相互摩擦力に勝らない限り、この場合、２枚目以降の用紙が一緒に取出されることなく、用紙８は挟持保持されたままの状態となる。
参考までに、以上に列記説明した状況は前記図３（ａ）においてＮ枚の用紙８の挟持状態から、最初にＮ枚目、次にＮ−１枚目、Ｎ−２枚目…と順次裏側から上方向に取出した場合は（実用的には無意味なことであるが）、前記図３（ｂ）の説明と同様に一挙に抜け落ちてしまう結果になる。
【００２４】
ところで、前記特許文献からの引用図として示した図２２、図２３、図２４の各構成、及び前記図１や図２に実験モデル１ｊとして示した構成では開口下部から挿入した用紙８が、図３（ａ）に示す様に常にボ−ド４（背面基板）と転動体２０間に導かれて挟持される状況は明らかである。
そこで、図１、図２の実験モデル１ｊにおいて挿入口９から挿入される用紙８を常に図３（ｃ）の保持状態とするには、図１、図２の挿入口９に破線で示す様な挿入ガイド部１７、即ち、図３（ｃ）、図３（ｄ）に示す様な断面形状が略三角形の挿入ガイド部１７をボード４の挿入口９に設け、該ガイド部材により挿入口９からの挿入用紙８を表面パネル２と転動体２０間に導く様な構成とすればよい。
【００２５】
次に、図４、図５は前記した基本構成に基づいて構成したペーパーホルダー１に複数枚の用紙８を保持した状態を示し、最初に本発明のペーパーホルダー１が狙いとする前記第１、第２及び第３の三つの目的機能と特徴を説明する為の図面である。又、図４（ｂ）は図４（ａ）に用紙８を保持した状態におけるＡ−Ａ断面としての構造を併せて示したものである。
先ず、図４（ａ）はボード４と一体構成したペーパーホルダー１の第１実施例に関し、図４（ｂ）に一点斜線で囲んだ個所が裏面ブラケット３部分で、該裏面ブラケット３には傾斜部１２にローラー等の転動体２０を配設してボード４に裏面ブラケット３を一体加工した構成である。
即ち、傾斜部１２等を備えて図４（ｂ）の様に加工した裏面ブラケット３に対し予め転動体２０を挿入配設後、両支持端部５ａ、５ｂに表面パネル２を４本の固定ネジ６ａ〜６ｂで取付けてペーパーホルダー１としたものである。なお、表面パネル２の上縁にはシルク印刷や溝線刻印によりカーソル線７が形成してあり、図４（ａ）は挿入口９から挿入した複数枚の用紙８の挟持状態から、１枚目の上端を左手の親指と人差し指で取出し方向１０に入力行をカーソル線７に合わせて視認と係止を繰り返しつつ徐々に引上げ操作する使用状況を示している。なお、図４に示した実施例では、傾斜部１２をボード４表面から背面側に引っ込めた構造形体により転動体２０を配置した構成の為、本実施例では前記挿入ガイド部１７を特に必要としない。
【００２６】
ところで、前記図４のペーパーホルダー1における対向内壁部は横方向に平行とした実施例構造であり、ボード４を垂直配置の位置から図４（ｃ）の様にθ角宛傾斜配置（使用時の好ましい配置傾斜角は、１３度前後である）として、図４（ａ）の様に用紙８を端部まで引上げ係止した場合、用紙は当然背面側に折れ曲ってしまう。なお、背面側への折れ曲り部分は既に入力済みの行部分であるのでペーパーホルダー１の機能上は差し支えないのである。しかし、本発明のペーパーホルダー１としての更なる改良点は、用紙８を端部まで引上げた際にも用紙８の折れ曲りを図５の様な構成として確実に防止することが出来る。
即ち、図５は後述の第８実施例のペーパーホルダー１（図１３、図１４参照）を用いて保持ブラケット１３に回動支持し、モニタ１４の左垂直枠１４ａに粘着テープで取付けた状態である（図２０参照）。そして、図５はモニタ１４に取付けたペーパーホルダー１を使用状態に開いて複数枚の用紙８を保持した状態から１枚目の原稿用紙８を最終行１５まで引上げて係止した状態の拡大図である。
第８実施例のペーパーホルダー１の構造に関しては、図１３、図１４と共に後述するが図５のペーパーホルダー１は図示の様に両端部が手前側に若干折れ曲った構造形体とされており、従って、取出し口１０から引上げられる際の用紙も幾分湾曲状態とされ〔保持ブラケット１３が取付けられるモニタ１４筐体の垂直枠は一般に前記４（ｃ）の様な傾斜状態で使用される結果、ペーパーホルダー１の支持部が垂直取付け配置であっても原稿用紙を端部まで引上げた場合に、用紙が前方に折れ曲ることはない〕、該湾曲状態で挟持保持された用紙は剛性による腰強さの効果で背面への折れ曲りが確実に防止されて設立掲示されたままの状態になる。
【００２７】
さて、図４、図５を参照に前記したペーパーホルダー１は本発明が狙いとする前記した下記三つの目的機能を実現したものである。即ち
（１）予め複数枚の用紙をセットした状態から用済み後の１枚づつを抜取った場合も２枚目以降が抜け落ちることはない（図４、図５に共通機能）。
（２）従来の様にボード板を用いることなく、用紙を吊り下げ挟持した状態から取出し方向への移送操作と関連して入力行単位の視認を可能とし、従来のカ−ソル送りと同様機能が発揮される（図４、図５に共通機能）。
（３）原稿用紙を端部まで引上げ係止しても、用紙が折れ曲らずに保持される（図５の機能）。
従って、本ペーパーホルダー１を図５に例示する様にモニタ用の原稿ホルダー１Ｇとする場合は、前記図２６に示した従来のデータスタンドに１枚づつの原稿用紙を取り替え着脱する煩わしさが省けて、スペースを占有せず、且つ、原稿が見易く、入力作業を高効率で行い得る等優れた効果を如何なく発揮する。更に、前記図５の折れ曲り防止機能を付加したペーパーホルダー１を適用した原稿ホルダー１Ｇは、座高の低いノート型に取付けて原稿を吊り下げた場合も原稿下部が机上で折曲がる課題が解消され、ノート型（本発明では、ノート型パソコンのことを単にノート型と称して説明する）の原稿ホルダー１Ｇとしても最適である（図２１参照）。
【００２８】
さて、前記した実験モデルの図解説明や図４、図５を参照して前記した機能説明から本発明ペーパーホルダー１の構成要点や特徴及び従来の公知技術に対する差異は充分明らかに理解出来たものと思われるので、以下の各具体的実施例では重複説明は極力省略し実施例図面を完備して要点を簡潔に記述する。
図６（ａ）は、前記基本原理に基づくペ−パ−ホルダ−１の第２実施例の斜視図、図６（ｂ）及び図６（ｃ）は第２実施例の構成細部を、又、図８は図６（ａ）のＡ−Ａ断面を夫々示す。以下に図６（ａ）、図６（ｂ）、図６（ｃ）及び、図８を同時参照しつつ関連的に説明する。初めに、本ペ−パ−ホルダ−１では少なくとも表面パネル２を透明性のアクリル素材等で加工した場合は内部が透けて見えることに関連して、本発明の実施例図面ではペーパーホルダー１の内部の構成主要部品を図解表示して図示する。
【００２９】
さて、第２実施例の裏面ブラケット３には図８の様に挿入口９に挿入ガイド部１７や図６（ｃ）に示す二つの仕切り塀２１ａ，２１ｂで仕切られた傾斜面１２が傾斜角αで加工され、更に、支持端部５ａ、５ｂには位置決めロッド２２ａ，２２ｂ、タップ穴２３ａ〜２３ｄ等を備えて加工されている。一方、図６（ｂ）は表面パネル２を裏返し状態として示してあり透明なアクリル素材によって両端部に位置決め穴２４ａ，２４ｂやネジ穴２５ａ〜２５ｄ及びカーソル線７が設けられ、更に、挿入口９は用紙挿入に適する形状に傾斜加工してある。
次に、図６（ｃ）の様に３個のローラー１１各々を裏面ブラケット３に配設し図６（ｂ）の表面パネル２を所定位置に係合して４本の固定ネジ６ａ〜６ｄで裏面ブラケット３に合体構成し出来上がったペーパーホルダー１が図６（ａ）である。なお、用紙押圧部材としてローラー１１を複数個に分割して用いた場合は前記ペーパーホルダー２の構成部品の平行度に狂いや歪み等が生じた際にも用紙８の各位置で一様な挟持力が得られる構成利点がある。
ここで、具体的な実施例寸法との関係について記載すると、図８（ａ）の断面図において裏面ブラケット３に表面パネル２を合体構成した開口間隙ｄ：略２ｍｍ、傾斜部１２の傾斜角α：略１０度、転動体２０の直径：φ５ｍｍ、Ａ４サイズ用紙の縦吊り用とした実施例では図６（ｃ）の用紙挟持幅Ｌ１：略２１５ｍｍ、個々のローラー長Ｌ２：６５ｍｍとして実施している。更に、ローラー１１を含む構成部品は全てプラスチックの金型成型により低コスト量産が可能である。
なお、本第２実施例は両支持端部５ａ、５ｂに下記実施例の様に回動穴を設けてモニタ用原稿ホルダーとすることも勿論出来る（図１６、図２０参照）。
【００３０】
次に、図７（ａ）は複数個のボ−ル１９を押圧部材とした第３実施例のペーパーホルダー１に関し、図７（ｂ）は裏面ブラケット３の内部構造である。即ち、本実施例では図７（ｂ）の様に裏面ブラケット１０にボ−ル１９用の傾斜溝２６を所定間隔で加工し、該傾斜溝に５個のボ−ル（球体）１９を転動自在に配設して前記構成同様表面パネル２を裏面ブラケット３の支持端部５ａ、５ｂに設けた位置決めロッド２２ａ，２２ｂで位置合わせ係合し、本実施例では裏面ブラケット３と表面パネル２を両端部で合体固着してある。又、第３実施例の裏面ブラケット３では両支持端部５ａ、５ｂに回動穴２７ａ、２７ｂを加工してあり後述する保持ブラケット１３（図１６、図２０参照）に回動支持構成してモニタ用の原稿ホルダー１Ｇとすることが出来る。
ところで、図７（ａ）の様に組立られた第３実施例のペーパーホルダー１のＢ−Ｂ断面は前記第２実施例と同様図８（ａ）の様になり、更に、前記図６（ａ）、図７（ａ）のペーパーホルダー１に複数枚の用紙８を挟持した状態の同部の断面図は図８（ｂ）の様に共通したものとなる。なお、図８における湾曲部２９は金型によるプラスチック成型加工時の都合を勘案したものである（肉厚さを均一にする成型手段）。又、粘着テープ２８は本ペーパーホルダー１をボード板等に貼り付けて使用する場合に用いる為のものである。
【００３１】
本ペーパーホルダー１は、前記表面パネル２と裏面ブラケット３を少なくとも端部で合体して下部と上部に開口部を設け、開口下部から挿入挟持した用紙を開口上部に抜取ることを基本構成とした結果、前記実施例における転動体２０に置換えて用紙８の押圧挟持部材に弾性ゴム素材を用いてペーパーホルダー１を構成した場合も同様に目的が果せる。
図９は、所謂、串歯状ゴム板３０に成型加工したゴム素材を用いて用紙８の押圧挟持部材としたペーパーホルダー１の第４実施例であり、図９の各図を同時参照しつつ説明する。先ず、この第４実施例の筐体は前記各実施例と同様に構成したもので、前記と同一構成部分の説明を省略し構成要点を説明する。本第４実施例に用いる串歯状ゴム板３０の斜視図を図９（ｃ）、図９（ｄ）に示す様に串歯状ゴム板３０は、例えば、ゴム素材の一端側を図示の様に串歯ゴム３２の形状に加工し先端部で用紙を押圧挟持し得る様にして、他端を図９（ｃ）の様にＶ字型に折返底部３３や図９（ｄ）の様に単に折曲げて傾斜角βで折返した底部３３を設け、成型加工した形体で用いると発明の目的が果せる。
【００３２】
図９（ｂ）は、図９（ａ）の第９実施例ペーパーホルダー１のＣ−Ｃ線方向の切断要部斜視図である。本ペーパーホルダー１の裏面ブラケット３下部には挿入ガイド部１７や内壁に溝部３１が加工されて例えば、図９（ｃ）の様にＶ字型に成型加工された串歯状ゴム板３０の折返し底部３３を該溝部３１に固着する。
図９（ｅ）は、図９（ａ）のペーパーホルダー１に複数枚の用紙８を挟持したＤ−Ｄ断面図である。本ペーパーホルダー１の組立ては前記溝部３１に串歯状ゴム板３０の折返し底部３３を先ず固着し、表面パネル２を裏面ブラケット３に位置合わせして圧入合体固着すればよい。なお、Ｖ字型に成型加工した串歯状ゴム板３０は該串歯ゴム３２が表面パネル２の内壁に対して所定圧力で当接される寸法で加工されており、図９（ｅ）の様に裏面ブラケット３の溝部３１に折返し底部３３が固着される。ところで、串歯ゴム３２の実施例寸法は串歯のピッチ間隔：１０〜１５ｍｍ、串歯高さ：略１０ｍｍ、図示の傾斜角β：略６０度、ゴム厚：２ｍｍ程度として硬度：９０度程度のポリウレタン系のゴム素材等で成型加工したものである。
なお、本実施例では図９（ｅ）の断面図の様に折曲げ加工した串歯状ゴム板３０の順方向から用紙を挿入して串歯ゴム３２の先端で押圧挟持し、且つ、折曲げゴムの順方向（ゴム弾力に逆らうことなく）に用紙を取出す様に構成した結果、多数枚の原稿を串歯状ゴム板３０の充分な押圧挟持力（逆方向には抜取れない位の挟持力）で挟持保持し用紙着脱する構成とした結果、ワンタッチで用紙着脱が出来て前記転動部材を用いた実施例同様の発明効果を発揮したペーパーホルダー１の構成が可能である。
【００３３】
ペ−パ−ホルダ−１の第５実施例について図１０（ａ）〜図１０（ｃ）と共に説明する。前記した各実施例は裏面ブラケット３と表面パネル２とを両端部で合体支持構成した実施例であった。即ち、本ペ−パ−ホルダ−1は下から挿入した用紙８を上から取出すことを基本構成としており、特に、ペ−パ−ホルダ−１を幅広として構成した場合は上下開口部の平行度を精度良く保持する為にも裏面ブラケット３と表面パネル２を両端部で強固に合体支持する構成が勿論望ましい。しかし、車載用や電話機及び事務机用等のメモクリップや壁面設置用の小型クリップとしては、図１０（ａ）に外観を示す所謂片端合体構成とした場合にも充分目的が果せる。
なお、この第５実施例ではメモクリップ機能を良好に達成する目的から図１０（ａ）の様に用紙８を下挿入口９からの挿入と共に、横矢印方向からの挿入も可能にした構成である。本ペーパーホルダー１では、図１０（ｂ）の様に裏面ブラケット３の片端のみに支持端部５ｂを設けて、該支持端部５ｂに位置決めロッド２２ｂ、２２ｃを立設し、表面パネル２の図示しない嵌合穴に位置決め圧入合体して図１０（ａ）に示す外観の片端支持型ペ−パ−ホルダ−１が組立される。
【００３４】
ところで、図１０（ａ）の様に横方向からの用紙挿入にも対応可能な構成とする為、図１０（ｃ）の様にロ−ラ−１１を水平線に対して時計方向にα角宛傾けた配設状態にしてある。従って、図１０（ｃ）に示す様に用紙８を横方向から挿入した場合はロ−ラ−１１が破線で示す状態に遊動されて用紙８が表面パネル２とロ−ラ−１１間に円滑に挿入挟持される。なお、この場合にα角を１０〜１５°程度に設定することで横挿入にも対応が可能となる。
図１１及び図１２は、前記図１０の第５実施例と同様な機能のペーパーホルダー１を、前記ボール１９や串歯状ゴム板３０を用いて構成した所謂片端支持型の小型ペーパーホルダー１の第６及び第７実施例に関し、構成内容は前記各実施例の説明から既に明らかなものと思われるので説明は省略するが、ボール１９や串歯状ゴム板３０を用紙押圧挟持部材とした場合も前記第５実施例と同様良好に目的が果せる。
本発明のペーパーホルダー１を前記片端支持型構成として、単にメモクリップ用の目的に用いる場合は表面パネル２に敢えて透明素材を用いる必要はない。
【００３５】
さて、図１３、図１４は図５と共に前記した用紙８を端部まで引上げた際にも用紙が折れ曲ることのない所謂折れ曲り防止型ペーパーホルダー１の具体的実施例構造を例示した第８実施例である。図１３（ａ）は正面斜め上からの斜視図、図１３（ｂ）、図１３（ｃ）、図１３（ｅ）、図１３（ｆ）は夫々図１３（ａ）のＥ−Ｅ線で切断した右支持端側の斜視図、そして、図１３（ｄ）は該端部の平面図である。
図１３（ａ）の実施例ペーパーホルダー１は、直線領域をＬ３、両端部の折り曲げ領域をＬ４とし、中央部に仕切り塀２１ａを設けて中間の両側に２個のローラー１１を配設し、図１３（ｂ）に裏面ブラケット３の端部の内部構造を示す様に折曲げ領域Ｌ４部分には、特に本実施例では押圧部材のローラー１１は配設せず、又、図１３（ｂ）の裏面ブラケット３の支持端部５ｂで固定ネジ６ｃ、６ｄによりネジ穴２３ｃ、２３ｄを貫通して表面パネル２を取付け図１３（ｃ）に示すペーパーホルダー１を組立構成している。
なお、図１３（ｄ）の平面図等における両支持端部５ａ、５ｂに設けた３個所の凸部３５ａ〜３５ｆは後述の構成でペーパーホルダー１をモニタに取付けて回動動作した場合にペーパーホルダー１を節度的に制動作用する様にした部分である（図１６参照）。
更に、図１３（ｅ）は図１３（ｂ）のローラー１１の代わりに用紙押圧部材としてボール１９を用い、そして、図１３（ｆ）は用紙押圧部材に前記串歯状ゴム板３０を用いて構成した夫々第８実施例である。
【００３６】
図１４は、モニタ用原稿ホルダー用として構成した第８実施例ペーパーホルダー１に関し、両支持端部５ａ、５ｂに回動穴２７ａ、２７ｂを設けて構成した各構成細部説明用の図面である。図１４（ａ）〜図１４（ｇ）は、両端部を折り曲げた構造実施例、そして、図１４（ｈ）〜図１４（ｊ）は折れ曲り防止型の他の変形実施例である。因みに、折れ曲り防止型ペーパーホルダー１とした第８実施例の具体的寸法について述べると、図１４（ｂ）の平面図における折り曲げ領域の角度は１４°、Ａ４サイズ原稿縦吊り用とした実施例では全長Ｌ６：２５０ｍｍ、用紙挿入幅Ｌ５：２１３ｍｍ、直線領域Ｌ３：１３３ｍｍ、折曲げ領域Ｌ４：４０ｍｍ、奥行きＤ：１３ｍｍ、高さ寸法Ｈ：２８ｍｍ、各ローラー長：６０ｍｍとして実施例している。
【００３７】
さて、図１４の各図は図面に記載通り図１４（ａ）は背面図、図１４（ｂ）は平面図、図中の塗りつぶし部分が取出し口１０、図１４（ｃ）は正面図、図１４（ｄ）は底面図で、同図の塗りつぶし部分は挿入口９である。本実施例では挿入口９からの用紙を挿入し易くする為に、裏面ブラケット３の折り曲げ領域端部の挿入口９が略直線状になるように加工してある（図中の三角形状をした部分）。
又、裏面ブラケット３の折り曲げ領域端部の形状は下記３箇所の断面図を参照することで一層明らかになるものと思われる。図１４（ｅ）は、図１４（ｃ）におけるＢ−Ｂ断面拡大図、図１４（ｆ）はＦ−Ｆ断面拡大図、図１４（ｇ）はＧ−Ｇ断面拡大図を夫々示す。
【００３８】
次に、図１４（ｈ）〜図１４（ｊ）は図示の様にペーパーホルダー１を中間部で表面パネル２側に折り曲げて、用紙の折れ曲り防止型としたペーパーホルダー１の他の実施例であり、図１４（ｈ）、図１４（ｉ）は各々平面図、図１４（ｊ）はそれらの正面図である。図１４（ｉ）の実施例は、裏面ブラケット３の挿入ガイド部１７を直線状にすると共に背面を平坦にしてボード等への取付けの便利を図ったものである。
図１５は、前記図１０〜図１２に片端支持型として示した実施例に前記折れ曲り防止を具備するように構成した第９実施例のペーパーホルダー１である。片端支持型構成とした場合にも用紙の取出し口１０を湾曲形状に構成することで、例えば、保持すべき用紙の右側半分だけを湾曲状に挟持保持するペーパーホルダー１とした場合も用紙引上げ時の折れ曲りを防止したペーパーホルダー１とし得るのである。
【００３９】
さて、前記したように本ペーパーホルダー１の具体的活用例としてはパソコンモニタ用の原稿ホルダーがあり、特に、回動式に構成して不使用時はモニタ筐体に折畳んでスペースを占有せず、使用時に９０度、１８０度位置に開いて使用する原稿ホルダーとする場合は発明の効果を如何なく発揮する。図１６は、図５と共に前記した本ペーパーホルダー１をモニタ筐体に取付ける為の保持ブラケット１３に関し、更に、図１６（ａ）は既に図１３（ｄ）と共に前記した端部の平面図を併記したものである。
図１６（ｂ）は、保持ブラケット１３の第１の実施例構造の斜視図である。図示の様に逆Ｌ字型をした一部に切欠部３６やシャフト穴３７、タップ３８が加工され該切欠部３６にペーパーホルダー１の支持端部５ｂを挿入して回動穴２７ｂにネジシャフト３９をセットし、図１６（ｆ）に図解するペーパーホルダー１の回動動作を可能となし得る。又、図１６（ｃ）はノート型専用のクリップ式ホルダー４０である。主板４１に立設されたシャフト４５に回動穴２７ｂを嵌挿し主板４１と挟み板４２でノート型の上蓋を挟持クリップしてペーパーホルダー１が図１６（ｆ）の回動動作をし得る様にしたクリップ式ホルダー４０に関し、支点ピン４３、スプリング４４等を備えて構成されている。
【００４０】
さて、図１６（ｄ）はシャフト４５を含めた全体をプラスチック素材で一体成型した保持ブラケット１３に関し、図１６（ｅ）は該シャフト４５にペーパーホルダー１の回動穴２７ｂを嵌挿した組立状況を示す。保持ブラケット１３を図１６（ｃ）、図１６（ｄ）の様に成型加工して用いる場合は、原稿ホルダー１Ｇの組立体を図１６（ｅ）の様に簡単構成として低コスト実施ができる。
又、図１６（ｆ）は前記組立られたペーパーホルダー１を回動した場合の各位置における原稿ホルダー１Ｇの平面図である。例えば、図１６（ｆ）の原稿ホルダー１Ｇにおけるペーパーホルダー１の破線位置は、ペーパーホルダー１がモニタ１４筐体（水平枠１４ｂ）に折畳まれた不使用時の位置を示し、便宜上該位置を０°とする（図２０、図２１参照）。実は、図１６（ｆ）に示す回動動作に伴い図１３を参照に前記した支持端部５ａ、５ｂに形成された凸部が下記の様に制動作用する。
即ち、図１６（ｆ）の様にペーパーホルダー１を回動した際、前記０°位置では支持端部５ｂに設けた凸部３５ｄが保持ブラケット１３の接触面４６に当接され（図２０、図２１参照）、更に、ペーパーホルダー１を一点斜線の９０°の使用位置に回動した状態では、凸部３５ｅが接触面４６に当接され〔図２０（ｃ）参照〕、そして、ペーパーホルダー１を実線の1８０°の使用位置まで開いた状態では凸部３５ｆが接触面４６に当接されて夫々の位置で節度的に制動係止される（図５、図２０、図２１参照）。
【００４１】
ところで、前記図４等に示した直線形体のペーパーホルダー１の実施例で用紙を引上げた際の折れ曲りを他の防止構成として課題解決した原稿ホルダー１Ｇの第１０実施例を図１７に示す。即ち、図４等に示した前記直線形体のペーパーホルダー１における原稿の折曲がりを図１７に示す用紙８の背面支持部材４７を設けた構成で防止する様にした実施例である。
図１７（ａ）、図１７（ｂ）の背面支持部材４７が取付けられた第１０実施例は、ペーパーホルダー１を背面側からみた斜視図である。背面支持部材４７は図１７の様に裏面ブラケット９の所定位置に支軸４８で回動支持し、不使用時は図１７（ａ）の様に折畳んで裏面ブラケット３の背面部に設けた係止部材４９で支持構成している。そして、背面支持部材４５の使用時は図１７（ｂ）に示す様に略９０度の垂直位置迄回動してストッパー４８で係止支持し所謂原稿の背もたれを構成した実施例である。又、図１７（ｂ）はペーパーホルダー１に保持した原稿用紙８を背面支持部材４７で折曲がり防止した使用状態であり、簡単構成で原稿の折曲がり防止機構を実現し得る。
【００４２】
次に、以上に説明した各ペーパーホルダーに縦書き原稿を挟持保持し入力行の視認作業を可能とした第１１実施例について図１８と共に説明する。図１８（ａ）は表面パネル２の上端要部を拡大した斜視図であり、本実施例では図示の様に上端縁に凸状レール５２と共にカーソル溝５１を加工形成している。一方、図１８（ｂ）はアクリルの透明素材で成型加工した端部をＵ字型に折返して図示の様な凹溝５４を加工したカーソル部材５３であり、前記図１８（ａ）の凸状レール５２とカーソル溝５１に係合して水平方向への摺動自在構成としてある。
図１８（ｃ）は、原稿ホルダー１Ｇに縦書きの原稿用紙８を保持した状態を示し、表面パネル２の凸状レール５２とカーソル部材５３を吊下げ状に係合して矢印水平方向へのカーソル部材５３の自在摺動によりカーソル線８で縦書き原稿入力行の視認を行い得る様にした実施例である。
【００４３】
図１９（ａ）、図９（ｂ）は用紙挟持部材における転動体２０の他の実施例を夫々示す。図１９（ａ）はロ−ラ−１１の中央小径部分１１ｂに対して、両端の直径を若干大径部１１ａに加工し両端部で用紙を押圧する様にしたロ−ラ−１１である。又、図１９（ｂ）は断面形状が多角形５５の転動体を用紙押圧部材とした場合の実施例であるが、試作実験では直径を５ｍｍ以上とし、断面が６角形以上の形体であれば多角形状のロ−ラ−１１やボール１９を転動体とした場合にも良好に所期目的が果せる。
【００４４】
さて、前記ペーパーホルダー１を用いてモニタ１４用の原稿ホルダー１Ｇとした実施例の具体的使用例について、図２０、図２１と共に説明する。先ず、本原稿ホルダー１Ｇは保持ブラケット１３に対する組立方法を図１６に示した様にペーパーホルダー１の回動穴２７ａ、２７ｂのどちらを保持ブラケット１３のシャフト４５に嵌挿するかによってモニタ左右何れの配置にも対応が可能な特徴がある。図２０は、原稿ホルダー１Ｇを例えばデスクトップ型モニタに左配置とした取付けた例で、前記図１６に示した保持ブラケット１３に貼り着した粘着テープ２８で保持ブラケット１３をモニタ１４の左垂直枠１４ａに固着し、図２０（ａ）はペーパーホルダー１をモニタ４の水平枠４ｂにコンパクトに折畳んだ不使用時の態様である。
図２０（ｂ）は、矢印左側に１８０度近く開いてペーパーホルダー２に原稿用紙８を保持した使用状態の斜視図である。又、必要により保持ブラケット１３の取付けを図２０（ｃ）の様にモニタ１４の左側面枠１４ｄに行ってもよく、この場合、不使用時のペーパーホルダー１は破線で示す後方位置を不使用位置５６とし、使用時に略９０°手前位置に回動して使用する〔前記図１６（ｆ）参照〕。
【００４５】
図２１は、前記原稿ホルダー１Ｇをノート型５７に取付けた場合の実施例である。原稿ホルダー１Ｇをノート型用とする場合は上蓋５８を開閉する都合から前記図１６（ｃ）に示したクリップ式ホルダー４０を用いてワンタッチ着脱式とすると大いに便利である。図２１（ａ）は上蓋５８の左垂直枠１４ａにクリップ取付した状態、図２１（ｂ）は右垂直枠１４ｃにクリップ取付した状態であり、更に、図２１（ｃ）は図２１（ｂ）の右配置の状態から開いて原稿用紙８を保持した使用状況である。
次に、図２１（ｄ）は左側配置として上蓋５８の筐体水平枠１４ｂ部分に埋込溝５９を加工し、該埋込溝５９にペーパーホルダー１を回動支持すると共に不使用時は埋込溝５９にコンパクトに折畳める様に一体型構成した実施例である。
なお、一体型の回動機構部は埋込溝５９の左端要部拡大断面を図２１（ｅ）に示す様にペーパーホルダー１の例えば、前記支持端５ｂを埋込溝５９に装着して該回動穴２７ｂにネジシャフト３９をセットして回動支点を構成する。本実施例の様に当初から組込み式の一体型を前提にした構成では勿論上蓋５８の開閉時にペーパーホルダー１が支障とならずコンパクト収納される。
【００４６】
本発明の原稿保持体１やペーパーホルダーは、下記の様に変形構成して実施した場合も良好に目的が果たせる。
（１）前記図２０における原稿保持体１は別体型とした場合であったが、前記図２１（ｄ）の実施例の様にデスクトップ型等のモニタ枠に対してペーパーホルダー１を組み込んで一体型として実施する場合は一層便利に目的が果せる。
（２）図２１（ｄ）は、ノート型の埋込溝５９にペーパーホルダー１を回動式に構成した実施例を示したが、必要によりペーパーホルダー１を例えば埋込溝５９の水平方向へスライド式として不使用時は該筐体溝に収納保持し、使用時にモニタ側方に引き出して使用するように構成してもよい。
（３）表面パネル２やカーソル部材５３（図１８参照）に所謂プラスチックレンズを取付載置する場合は、原稿入力行が拡大視出来るので視力が充分でない作業者には大変便利な機能効果が発揮される構成とし得る。
【００４７】
【発明の効果】
前記した様に、従来の各種クリップ及び特許文献の開示技術では複数枚の用紙を挟持保持した状態から表面の１枚づつの用紙を抜取る目的は果せず、特に、原稿ホルダーとしての入力作業が非効率的なものとなっていた。
本発明のペーパーホルダーは、例えば、パソコンやワープロでキーボードからの入力作業時にモニタ筐体に取付けて原稿ホルダーとして用いた場合は、下記に列記する多くの特徴がある。
（１）不使用時は、モニタ枠部に折畳めるので保管スペースを占有せず（邪魔にならず）、使用時はモニタに最近接した見易い位置に原稿を挟持保持し得る。
（２）本発明で原稿ホルダーを構成した場合は、予め複数Ｎ枚の原稿用紙をセットした状態から入力済みの１枚づつが順次に抜き取れて（２枚目以降が落下せずに）、入力作業が楽に高効率で行い得る。
（３）表面パネルを透明体としたことと関連して、ペーパーホルダーは原稿の移送操作により入力行単位の視認送りが可能である。
（４）用紙取出し口を曲げ加工したペーパーホルダーでは、原稿用紙を端部まで引上げた場合も折れ曲らず原稿用紙が立設掲示されて、又、該機能により座高の低いノート型に取付けた場合も原稿が机上で折曲ることなく見易い高さ位置に係止保持される。
（５）本ペーパーホルダーをモニタ用の原稿ホルダーとする場合は、ペーパーホルダーの両支持端に各々回動穴を設けると共に、前記回動穴嵌挿用の回動シャフトを備えた保持ブラケットをモニタ筐体に取付ける構成により、モニタ左右両側方の何れの取付け配置にも対応可能な原稿ホルダーとし得る。
（６）表面パネルと裏面ブラケットの上下部を開口し端部を合体支持したペーパーホルダーは、下部から挿入挟持した用紙を上部に取出す構成としたことで用紙着脱が容易で、少なくとも表面パネルをアクリル等の透明素材（スケルトン）で成型加工した場合、意匠的にもユニークで見栄えが良く、且つ、構造簡単で構成部品は低コスト量産が可能である。
（７）以上の具体的実施例では、パソコンモニタ用の原稿ホルダーとした適用例について説明したが、本ペーパーホルダーは、単に所謂メモクリップとして電話機近傍や車のダッシュボード、更には、テレビ受像機、冷蔵庫、本棚等に取付けて番組表、スケジュール表、カレンダー掲載用として用いても効果を発揮する。
【図面の簡単な説明】
【図１】ローラーを用いた本発明の作動原理を説明する為の実験モデルである。
【図２】ボールを用いた本発明の作動原理を説明する為の実験モデルである。
【図３】転動体による用紙挟持機能の基本原理説明用の断面図である。
【図４】本ペーパーホルダーの第１実施例及び機能説明用の斜視図と構造断面である。
【図５】用紙を端部まで引上げても原稿用紙が折れ曲らない実施例の説明図である。
【図６】第２実施例ペーパーホルダーの斜視図と各構成細部である。
【図７】第３実施例ペーパーホルダーの斜視図と構成細部である。
【図８】転動体を用いたペーパーホルダーの断面斜視図である。
【図９】串歯ゴム板を用いた第４実施例を説明する為の斜視図及び断面図である。
【図１０】第５実施例の斜視図と各構成細部である。
【図１１】第６実施例の外観斜視図と内部構造である。
【図１２】第７実施例の外観斜視図である。
【図１３】第８実施例の各部構成状況の説明図面である。
【図１４】第８実施例の各部構成詳細の説明図面である。
【図１５】第９実施例の外観斜視図である。
【図１６】原稿ホルダーとして実施する場合の各種保持ブラケットと回動動作説明用の図面である。
【図１７】第１０実施例を説明する為の外観斜視図である。
【図１８】第１１実施例の各部構成を説明する為の外観斜視図である。
【図１９】転動体の変形例を説明するため斜視図である。
【図２０】原稿ホルダーをモニタに取付けた実施例である。
【図２１】原稿ホルダーをノート型に取付けた実施例である。
【図２２】特許文献１の実開昭５３−７６０２５号公報から引用した開示技術である。
【図２３】特許文献２の特開平３−３８７７１号公報から引用した開示技術である。
【図２４】特許文献３の特公昭５９−４４２３６号公報から引用した開示技術である。
【図２５】特許文献４の特許第２５２９６１７号公報から引用した開示図面である。
【図２６】従来のパソコン用データホルダーの実施例である。
【符号の説明】
１…ペーパーホルダー、２…表面パネル、３…裏面ブラケット、４…ボード、５ａ…支持端部、５ｂ…支持端部、６ａ、６ｂ、６ｃ、６ｄ…固定ネジ、７…カーソル線、８…用紙、９…挿入口、１０…取出し口、１１…ローラー、１２…傾斜部、１３…保持ブラケット、１４…モニタ、１５…最終行、１６ａ、１６ｂ…三角板、１７…挿入ガイド部、１８…案内塀、１９…ボール、２０…転動体、２１ａ、２１ｂ…仕切り塀、２２ａ、２２ｂ…位置決めロッド、２３ａ、２３ｂ、２３ｃ、２３ｄ…タップ穴、２４ａ、２４ｂ…位置決め穴、２５ａ、２５ｂ、２５ｃ、２５ｄ…ネジ穴、２６…傾斜溝、２７ａ、２７ｂ…回動穴、２８…粘着テープ、２９…湾曲部、３０…串歯状ゴム板、３１…溝部、３２…串歯ゴム、３３…折返底部、３４…取付底部、３５ａ〜３５ｆ…凸部、３６…切欠部、３７…シャフト穴、３８…タップ、３９…ネジシャフト、４０…クリップ式ホルダー、４１…主板、４２…挟み板、４３…支点ピン、４４…スプリング、４５…シャフト、４６…接触面、４７…背面支持部材、４８…支軸、４９…係止部材、５０…ストッパー、５１…カーソル溝、５２…凸状レール、５３…カーソル部材、５４…凹溝、５５…多角形、５６…不使用位置、５７…ノート型、５８…上蓋、５９…埋込溝。
【図１】
2004160953.tif 000003
【図２】
2004160953.tif 000004
【図３】
2004160953.tif 000005
【図４】
2004160953.tif 000006
【図５】
2004160953.tif 000007
【図６】
2004160953.tif 000008
【図７】
2004160953.tif 000009
【図８】
2004160953.tif 000010
【図９】
2004160953.tif 000011
【図１０】
2004160953.tif 000012
【図１１】
2004160953.tif 000013
【図１２】
2004160953.tif 000014
【図１３】
2004160953.tif 000015
【図１４】
2004160953.tif 000016
【図１５】
2004160953.tif 000017
【図１６】
2004160953.tif 000018
【図１７】
2004160953.tif 000019
【図１８】
2004160953.tif 000020
【図１９】
2004160953.tif 000021
【図２０】
2004160953.tif 000022
【図２１】
2004160953.tif 000023
【図２２】
2004160953.tif 000024
【図２３】
2004160953.tif 000025
【図２４】
2004160953.tif 000026
【図２５】
2004160953.tif 000027
【図２６】
2004160953.tif 000028
【手続補正書】
【提出日】平成15年10月21日(2003.10.21)
【手続補正１】
【補正対象書類名】明細書
【補正対象項目名】全文
【補正方法】変更
【補正の内容】
【特許請求の範囲】
【請求項１】表面パネルと裏面ブラケットとを備えて双方を少なくとも、一端で合体支持構成したことと、前記表面パネルと裏面ブラケットの対向壁部に、用紙押圧部材を配設したことと、前記対向壁の上部と下部及び、前記一端部で合体支持構成とする場合は他端横方向を含む３箇所に夫々開口部を設けることと、該開口下部や横方向から挿入した用紙を前記表面パネル内壁と前記押圧部材間に挟持するようにしたことと該挟持紙を前記開口上部から抜取る様にしたこととを特徴とするペーパーホルダー。
【請求項２】前記対向壁部の少なくとも一部に下部から上部に拡がる傾斜部を設け、該対向壁傾斜部に転動体からなる用紙押圧部材を配設したことを特徴とする請求項１記載のペーパーホルダー。
【請求項３】前記対向壁部に弾性ゴムからなる用紙押圧部材を配設したことを特徴とする請求項１記載のペーパーホルダー。
【請求項４】前記対向壁部の少なくとも一部を表面パネル側に折れ曲った形状として、挿入紙を湾曲状に挟持し得る様にしたことを特徴とする請求項１〜３の何れかに記載のペーパーホルダー。
【請求項５】前記表面パネルと裏面ブラケットとの双方の両端部を合体支持構成して前記対向壁の上部と下部に開口部を設け、該開口下部から挿入した用紙を開口上部から抜取る様にしたことを特徴とする請求項１〜４の何れかに記載のペーパーホルダー。
【請求項６】不使用時はモニタ筐体に収納状態とし、使用時はモニタの側方に開いて原稿を掲示し得る様にしたことを特徴とする請求項１〜５の何れかに記載のペーパーホルダー。
【請求項７】少なくとも、前記表面パネルに透明性の樹脂素材を用いて構成した請求項１〜６の何れかに記載のペーパーホルダー。
【発明の詳細な説明】
【０００１】
【発明の属する技術分野】
本発明は、メモ用紙や書類等をクリップ保持したり、パソコンへの入力作業時に原稿や資料等を一時的に挟持保持し、更に、保持した用紙から所要の一枚ずつを抜取るペーパーホルダーである。
【０００２】
【従来の技術】
従来、用紙をクリップする保持具としてバネ式やマグネット式等のクリップが用いられている。又、パーソナルコンピュータ（パソコン）等への入力作業時に原稿書類をモニタ近くに挟持する保持具として図２３に例示する様なデータスタンド８６等が古くから普及している。
図２３のデータスタンド８６は、例えば、図示の台座付きスタンド８７に角度や高さ調整機構を備えて、該ボード８８上にクリップ８９やカーソル９０が配設された原稿８の保持具である。しかし、従来のクリップを用いた場合は複数枚の用紙を挟持保持した状態から一枚目を抜取ると、殆どの場合、残紙が一挙に抜け落ちる大きな欠点がある。
一方、ローラーやボールの転動体を用いて用紙を押圧挟持するようにしたもの（例えば、特許文献１、特許文献２、特許文献３）や、ゴムヒゲを突き合わせて用紙を挟持するようにした文献（例えば、特許文献４）が開示されている。
しかし、下記何れの開示技術も予め複数枚の用紙保持状態から一枚ずつを抜き取る使用目的には供し得ないのである。
【０００３】
【特許文献１】
実開昭５３−７６０２５号公報
【特許文献２】
特許第２９７２４７８号公報
【特許文献３】
特公昭第５９−４４２３６号公報
【特許文献４】
特許第２５２９６１７号公報
【０００４】
上記４件の開示技術に関し、先ず、本特許願の構成内容と係りのあるロ−ラ−（丸棒）やボ−ル（球体）を用いた所謂、転動体で用紙を押圧挟持する構成について、本発明と公知技術の構成差異を明らかにする為にも前記代表的特許文献の要部図面を図１９以降に引用し、該引用図面を参照しつつ順次説明する。
図１９は、前記特許文献１の実開昭５３−７６０２５号公報でメモ用紙挟み７０として開示されている断面図を引用したものである。本メモ用紙挟み７０は図１９に示す様に、ロ−ラ−１１の両端部を傾斜面が加工された金属金具７２で台板７１に回動支持し、該下側から挿入した用紙８を台板７１とロ−ラ−１１間に挟持保持し、用紙８を矢印の上側に抜取る用紙挟みである。
【０００５】
図２０は、前記特許文献２の特許第２９７２４７８号公報に従来例の紙片保持具７３として開示されている文献からの引用斜視図である。この紙片保持具７３では図示の様に係止片７４と折曲げた舌片７５間の斜面にローラー１１を配設し、開口下部から挿入した用紙８をローラー１１で係止片７４側に押圧挟持して横方向に用紙８を抜取る構成である。
【０００６】
図２１は、前記特許文献３の特公昭５９−４４２３６号公報の壁面取付型ホルダー７６を引用した斜視図である。この開示技術では図示の様に直径を異にする複数個のボ−ル１９を縦方向に配設し下矢印方向から挿入した用紙８をボ−ル１９で取付板７７に押圧挟持し、矢印横方向に抜取る構成である。
しかし、図２１には複数枚の用紙８を保持した状態が示されているが、ボ−ル１９を図示の様に縦方向に並べた配置で取付板７７とボール１９間に挟持した複数枚の用紙８から一枚目をＢ方向に引き抜くと、用紙間の摩擦力で２枚目以降の残紙も引き摺られて一挙に脱落されてしまうことは明らかである。
【０００７】
次に、図２２は前記特許文献４の特許第２５２９６１７号公報のワンタッチ紙挟み８０を引用した断面図である。このワンタッチ紙挟み８０ではゴム製のヒゲ８３でヒゲ板８４を形成し、該ヒゲ板８４を正面板枠８１と背面板枠８２に取付けて接合８５し、挿入紙を両側のゴムヒゲ弾力で挟持保持するもので製品として具現化されている。
しかし、該製品を用いて実際に数枚のＡ４サイズ用紙を挟持し表側の一枚目を抜取ると、２枚目以降の残紙も一挙に抜け落ちてしまう欠点があり、予め多数枚の原稿をセットした状態から用済みの一枚ずつ抜取る使用目的には供し得ない。
【０００８】
ところで、前記特許文献中、ロ−ラ−１１やボ−ル１９の所謂転動体で用紙を基板間に挟持する前記各開示技術では、用紙８を図１９では台板７１とローラー１１間に、図２０では係止片７４とローラー１１間に、そして、図２１では取付板７７とボール１９間に挟持する構成である。即ち、挿入紙を背面基板と転動体間に挟持する点が前記特許文献に共通した構成上の特徴点である。
しかし、図１、図２の実験モデルの図面に基づいて後述する様にロ−ラ−１１やボ−ル１９の所謂、転動体で用紙８を背面基板と転動体間に挟持する前記公知技術では、一枚ずつの用紙を着脱する目的は果たせ得ても、複数枚の挟持紙を保持する場合は一枚目の抜取りと共に全挟持紙を一旦抜取り、改めて、挟持し直す操作を必要とする欠点がある。
本発明が課題解決を図り実現しようとするペーパーホルダーは、予め、２０〜３０枚位の多数枚の用紙挟持状態から、所要の一枚ずつを抜取った場合にも残紙が一切抜け落ちない挟持機能の実現を目的とする。
【０００９】
【発明が解決しようとする課題】
本発明のペーパーホルダー（以下の説明では、ペーパホルダーのことを単にＰＨと略称して説明することもある）は、メモ用のクリップは勿論、特に、原稿ホルダーとして用いる場合に機能効果を発揮する。そこで、ＰＨの具体的活用例として原稿ホルダーとする場合の解決すべき課題について、課題別に記述すると以下の通りである。
１）従来の用紙挟持具に関する課題。
図２３に例示した代表的な原稿挟持具に、板バネ式やマグネット式等のものが広く用いられている。しかし、データスタンド８６を従来のクリップで構成して予め複数枚の原稿８をクリップ８９し、入力済みの一枚目を抜取った場合に他の挟持原稿も一挙に抜け落ちてしまう不便課題がある。
従って、前記特許文献の開示技術を含む従来の保持具では、一枚ずつの原稿を一々着脱する煩わしい不便課題があり入力作業が効率低下する原因となる。
本ＰＨを原稿ホルダーとする際の第１目的は、予め複数枚の原稿挟持状態から入力済みの一枚ずつが抜き取れる機能を実現し入力作業を効率良く行い得る原稿ホルダーを提供することである（図４参照）。
【００１０】
２）簡単な挟持機構による原稿入力行（カーソル）の視認機能の実現。
前記項の課題解決と関連して原稿ホルダーとする際の第２目的は原稿載置用のボードを用いることなく、原稿の移送操作によって行単位の視認機能を可能とし、従来のカ−ソル送りと同様機能の実現を図ることである（図４、図５参照）。
３）原稿引上げ時の折れ曲り防止機能の実現。
上記入力行の視認機能と関連した第３目的は、原稿を行端部まで引上げた際に、原稿が折れ曲らない該防止機能を備えたＰＨの実現を図ることである。
該折れ曲り防止機能により、例えば、座高の低いノート型に用いた場合に原稿端部が机上で折曲がる課題が良好に解消される（図５、図１８参照）。
【００１１】
４）従来の原稿挟持具におけるスペース課題。
例えば、前記図２３に例示したデータスタンド等の欠点は、使用時、不使用時の別なく設置スペースを占有し机上の作業スペースを狭くしてしまうことと、保持原稿がモニタ画面に対して見易い最近接位置に掲示されず入力行が視認し難く目が疲れることである。
即ち、本ＰＨを原稿ホルダーとした際の第４目的は不使用時はモニタ枠に折畳めてスペースを取らず、使用時に開いて原稿保持し、且つ、モニタに最近接した左右何れの取付け配置にも対応可能としたことである。
【００１２】
【課題を解決する為の手段】
前記課題を解決する為に本発明では、表面パネルと裏面ブラケットとを備えて双方を少なくとも一端で合体支持構成したことと、前記表面パネルと裏面ブラケットの対向壁部に、用紙押圧部材を配設したことと、前記対向壁の上部と下部及び、前記一端部で合体支持構成とする場合は他端横方向を含む３箇所に夫々開口部を設けることと、該開口下部や横方向から挿入した用紙を前記表面パネル内壁と前記押圧部材間に挟持するようにしたことと、該挟持紙を前記開口上部から抜取る様にしたペーパーホルダー（ＰＨ）である（請求項１）。
【００１３】
そして、上記請求項１に記載のＰＨにおける前記対向壁部の少なくとも一部に下部から上部に拡がる傾斜部を設け、該対向壁傾斜部に転動体からなる用紙押圧部材を配設することが好ましい（請求項２）。
【００１４】
また、上記請求項１に記載のＰＨにおける前記対向壁部に弾性ゴムからなる用紙押圧部材を配設することが好ましい（請求項３）。
【００１５】
また、上記請求項１〜３に記載のＰＨにおける前記対向壁部の少なくとも一部が表面パネル側に折れ曲った形状として、挿入紙を湾曲状に挟持する構成が好ましい（請求項４）。
【００１６】
また、上記請求項１〜４に記載のＰＨにおける前記表面パネルと裏面ブラケットの双方の両端部を合体支持構成して前記対向壁の上部と下部に開口部を設け、該開口下部から挿入した用紙を開口上部から抜取る構成が好ましい（請求項５）。
【００１７】
また、上記請求項１〜５に記載のＰＨは、不使用時はモニタ筐体に収納状態とし、使用時はモニタの側方に開いて原稿を掲示する構成が好ましい（請求項６）。
【００１８】
また、上記請求項１〜６に記載のＰＨは、少なくとも、前記表面パネルに透明性の樹脂素材を用いる構成が好ましい（請求項７）。
【００１９】
【発明の実施の形態】
さて、本発明のＰＨの具体的実施例として、主に原稿ホルダーに適用した構成例について以下に説明する。
本ＰＨは、用紙保持機能として前記従来のクリップや前記特許文献の何れの開示技術によっても達成し得なかった複数枚の用紙保持状態から、一枚ずつを抜取った場合に２枚目以降の挟持紙（本発明では挟持紙のことを用紙、又は、原稿と称して説明することもある）が落脱することのない優れた機能を備えたメモ用紙や書類クリップやキーボードからパソコンやワープロへの入力時に、モニタ筐体に取付ける原稿掲示用として好適な原稿ホルダーの提供を目的とする。
【００２０】
本特許願では、構成要部を理解し易くする為に同一図番中での各構成部分の名称（用語）について、同様な作用をする部分に関しては同様な名称や符号を用いて各図面中に記載し以下図面と共に説明する。
先ず、図１、図２、図３は本ＰＨの基本動作を説明する為の実験モデル１ｊである。即ち、図１は長方形のボード４に対して、例えば、１０度位の傾斜角で切削した２枚の三角板１６ａ、１６ｂと透明アクリル板等を表面パネル２に用い、該三角板１６ａ，１６ｂを２２０ｍｍ位の寸法に離間配置して表面パネル２の両端部を図示の様に４本の固定ネジ６ａ〜６ｄで三角板と共にボ−ド４に固定する。この時、表面パネル２の下端部は用紙挿入口９とする為、ボード４から３ｍｍ程度に離間固定する。
図１は、前記形成のボード４と表面パネル２の対向傾斜壁面に直径が５〜６ｍｍ位の樹脂やアルミ製の丸棒又はパイプからなるロ−ラ−１１を転動体として配設したＰＨの実験モデル１ｊである。なお、用紙は矢印の挿入口９から挿入して上矢印への抜取１０構成である。
【００２１】
次に、図２は前記図１と同様の構成により用紙押圧部材として３個のボール１９を転動体に用いたＰＨの実験モデル１ｊであり、各々のボール１９は案内壁１８で囲んでガイドされる構成にしてある。
さて、図３（ａ）、図３（ｂ）は前記図１、図２の実験モデル１ｊに対して、挿入口９からＮ枚の用紙８を挿入保持した夫々のＡ−Ａ線の拡大断面図である。特に、図３（ａ）、図３（ｂ）はボ−ド４と転動体２０（本発明では、前記ローラー１１とボール１９を総称し転動体２０と称して説明する）間への用紙８挟持状況を示している。
そこで、ボ−ド４と転動体２０間に挟持されたＮ枚の挟持紙８から、今、一枚目を抜取方向１０に抜取った瞬間状況を示したのが図３（ｂ）である。実は、この保持状況は前記図１９の開示技術と全く同様な構成であり、更に、前記図２０や図２１の公知技術で、仮に上端部を開口状態として端部で支持構成した場合も図３（ａ）、図３（ｂ）と全く同様な結果になる。
即ち、この挟持方法では図３（ｂ）の様に一枚目の用紙を抜取った瞬間に転動体２０が矢印方向に遊動されて用紙８から遊離（離脱）され、挟持力が解消されるので残りの用紙８が一挙に脱落されてしまうことは明らかである。
【００２２】
本発明のＰＨ１は、図３（ｃ）、図３（ｄ）の参照説明により構成内容が明らかになる。図３（ｃ）、図３（ｄ）は前記図１や図２におけるＡ−Ａ線での拡大断面を示したものであるが、特に、この場合の実験モデルでは図示の様に用紙８を転動体で押圧挟持する対象壁面を前記図３（ａ）、図３（ｂ）とは逆配置の関係とした点に構成上の特徴がある。
そこで、図３（ｃ）、図３（ｄ）はＮ枚の用紙８が表面パネル２内壁と転動体２０間に挟持保持された状況を示し、今、図３（ｃ）に示すＮ枚の挟持紙８から表面パネル２に接した一枚目を上矢印の抜取方向１０に抜取った瞬間状況を示したのが図３（ｄ）の断面図である。この挟持構成とした場合は、２枚目以降の残紙は一切抜け落ちず保持されたままの状態になる。
即ち、本ＰＨ１の用紙挟持方法は図３（ｃ）、図３（ｄ）を基本構成とし、開口下部から挿入した用紙を表面パネル２と転動体２０間に導いて挟持保持し、開口上部の抜取１０方向に抜取る様にしたＰＨ１である。
更に、原稿ホルダーとする際は後述する様に表面パネル２に透明素材を用いてカーソル線を形成すると共に原稿を行単位で徐々に引上げ係止させる機能を活用することで入力行の視認が出来、前記用紙保持機能と関連して入力作業が楽に、且つ、効率的に行い得る。
【００２３】
そこで、本発明に係る基本構成の要点を理解し易くする為に図３（ｃ）、図３（ｄ）〔図４（ｂ）、図８（ｂ）及び図９（ｄ）同時参照〕を参照しつつ本ＰＨの挟持要点を列記すると以下の通りである。即ち、
１）挟持保持された挟持紙８相互間には、用紙の摺動摩擦力が作用する。
２）転動体２０の質量に応じた傾斜対向壁面への分散された力のベクトルの内、表面パネル２方向への力がＮ枚の挟持紙８を表面パネル２内壁に大きな食い込みによる強い圧力で押圧する。
３）図３（ｄ）の様に、一枚目の用紙を矢印１０方向に抜取った瞬時に前記図３（ｂ）の様に転動体２０が遊動されることなく、２枚目の挟持紙と表面パネル２の内壁間に空隙は生じないので残紙は落下しない。
４）従って、図３（ｄ）の様にＮ枚の挟持紙から一枚目を矢印１０方向に抜取った際、一枚目から２枚目以降に及ぼす上向きの重力に抗した摩擦力が、転動体２０からの押圧力によるＮ枚目から２枚目に及ぼす相互摩擦力に勝らない限り、２枚目以降の用紙が一緒に引き摺られることなく、他の挟持紙８は挟持保持されたままの状態となる。
参考までに、以上に列記説明した状況は前記図３（ｃ）の挟持状態から、最初に裏側のＮ枚目を上方向に抜取った場合には（実用的には無意味なことであるが）、前記図３（ｂ）と同様、一挙に抜け落ちてしまう結果になる。
【００２４】
ところで、前記特許文献からの引用図として示した図１９、図２０、図２１及び、前記図１や図２に実験モデル１ｊとして示した各構成では開口下部から挿入した用紙８が、図３（ａ）に示す様に常にボ−ド４（背面基板）と転動体２０間に導かれて挟持される状況は明らかである。
そこで、図１、図２の実験モデル１ｊにおいて挿入口９の用紙８を常に図３（ｃ）の保持状態とするには、図１、図２の挿入口９に細線で示す様な挿入ガイド部１７、即ち、図３（ｃ）、図３（ｄ）に示す様な断面形状が略三角形の挿入ガイド部１７をボード４の挿入口９に設け、該ガイド部により挿入口９からの挿入紙８を表面パネル２と転動体２０間に導く構成とすればよい。
【００２５】
次に、図４、図５は前記した基本構成に基づいて構成したＰＨ１に複数枚の用紙８を保持した状態を示し、本発明のＰＨ１が狙いとする前記第１〜第３の三つの目的機能や特徴を備えた実施例である。又、図４（ｂ）は図４（ａ）への用紙８保持状態のＡ−Ａ線での断面構造を示したものである。
ところで、図４（ａ）はボード４と一体構成したＰＨ１の第１実施例に関し、図４（ｂ）に一点斜線で囲んだ個所が裏面ブラケット３部分であり、該裏面ブラケット３には傾斜部１２にローラー転動体２０を配設してボード４に裏面ブラケット３を一体加工した構成である。即ち、傾斜部１２等を備えて図４（ｂ）の様に加工した裏面ブラケット３に転動体２０を挿入後、両支持端部５ａ、５ｂに表面パネル２を４本の固定ネジ６ａ〜６ｂで取付けてＰＨ１としたものである。
表面パネル２の上縁には、シルク印刷や溝線刻印によりカーソル線７が形成してあり、図４（ａ）は挿入口９から挿入した複数枚の用紙８の挟持状態から、一枚目の上端を左手親指と人差し指で抜取方向１０に入力行をカーソル線７に合わせて視認と係止を繰り返しつつ徐々に引上げ操作する使用状況を示している。
なお、図４の実施例では傾斜部１２をボード４表面から背面側に引っ込めた構造形体として転動体２０を配置した結果、本実施例では前記挿入ガイド部１７を特に必要としない。
【００２６】
ところで、前記図４のＰＨ１では抜取１０方向に引き上げ係止した用紙８が常に背面側に倒れるようにボード４を垂直配置位置から図４（ｃ）の様にθ角（略１３度）宛傾斜配置としてある。従って、端部まで引上げた用紙は当然背面側に折れ曲ってしまうが、この場合、折れ曲り部分は既に入力済みの行部分であるので入力作業時の支障とはならない。
しかし、本発明のＰＨ１の更なる改良点は、用紙８を端部まで引上げた際にも用紙８の折れ曲りを図５の様に防止構成とした点である。即ち、図５は後述の第８実施例のＰＨ１（図１３、図１７参照）を保持ブラケット１３に回動支持し、モニタ１４の左垂直枠１４ａに粘着テープで取付けた状態である。
そして、図５はモニタ１４に取付けたＰＨ１を使用状態に開き複数枚の原稿（用紙）８保持状態から一枚目８を最終行１５まで引上げ係止した拡大図である。
第８実施例のＰＨ１の構造に関しては、図１３、図１５と共に後述するが図５のＰＨ１は両端部が手前側に若干折れ曲った構造形体とされており、従って、抜取口１０からの抜取り原稿８も幾分湾曲状とされ、該湾曲状態で挟持保持された原稿８は剛性による腰強さ効果で前後への折れ曲りが確実に防止されて設立掲示される。
【００２７】
さて、図４、図５のＰＨ１は前記した本発明が狙いとする下記三つの機能目的を実現したものである。即ち、
１）予め複数枚の用紙をセットした状態から一枚ずつを抜取った場合に２枚目以降が抜け落ちない。
２）ボードを用いることなく、用紙抜取方向への操作と関連して入力行の視認機能を可能とし、従来のカ−ソル機能と同様効果が発揮される。
３）原稿を端部まで引上げ係止しても、用紙が折れ曲らず立設保持される。
従って、本ＰＨ１を図５の様にモニタ用原稿ホルダーとした場合は、前記図２３に示した従来のデータスタンドの様に一枚ずつの原稿を着脱する煩わしさが省け、且つ、スペースを占有せず、原稿が見易く、入力作業を効率良く行い得る等優れた効果を発揮する。
更に、図５の様に折れ曲り防止機能を備えた場合は座高の低いノート型に取付けた場合も原稿下部が机上で折曲がる課題が解消される。
【００２８】
さて、前記した実験モデルの図解説明や図４、図５を参照しつつ前記した機能説明から本発明ＰＨ１の構成要点や特徴及び公知技術との相違点は充分明らかになったものと思われるので、以下の各具体的実施例では重複説明を極力省略し実施例の図面を完備して要点を簡潔に記述する。
図６（ａ）は、前記基本原理に基づくＰＨ１の第２実施例の斜視図、図６（ｂ）及び図６（ｃ）は構成細部を、そして図８に、図６（ａ）のＢ−Ｂ断面を示し、以下図６（ａ）、図６（ｂ）、図６（ｃ）及び、図８を同時参照しつつ関連的に説明する。
本ＰＨ１では、少なくとも表面パネル２を透明性の樹脂素材で加工実施したことに関連して内部が透けて見えることなる。従って、本実施例図面では内部の構成主要部品を細線で図解表示してある。
【００２９】
さて、第２実施例の裏面ブラケット３には図８の様に挿入口９に挿入ガイド部１７や図６（ｃ）に示す二つの塀２１ａ，２１ｂで仕切られたα角の傾斜面１２が加工され、更に、支持端部５ａ、５ｂには位置決めロッド２２ａ，２２ｂ、タップ穴２３ａ〜２３ｄが加工されている。一方、表面パネル２を裏返して示した図６（ｂ）の両端部には位置決め穴２４ａ、２４ｂやネジ穴２５ａ〜２５ｄ及びカーソル線７が設けられ、用紙挿入口９が図示形状に傾斜加工してある。
次に、図６（ｃ）の様に３個のローラー１１各々を裏面ブラケット３に配設し図６（ｂ）の表面パネル２を所定位置に係合して４本の固定ネジ６ａ〜６ｄで裏面ブラケット３に合体したＰＨ１が図６（ａ）である。
なお、用紙押圧部材としてローラー１１を複数個用いた場合は各構成部品の平行度に狂いや歪みが生じた場合にも一様な挟持力が得られる。
ここで、具体的な実施例寸法との関係について記載すると、図８（ａ）の断面図の開口間隙ｄ：略２ｍｍ、傾斜部１２の傾斜角α：略１０度、アルミローラー棒の直径：φ５ｍｍ、Ａ４サイズ縦吊り用とした実施例では図６（ｃ）の用紙挟持幅Ｌ１：略２１５ｍｍ、ローラー長Ｌ２：６５ｍｍとして実施している。他の構成部品はプラスチック成型として低コスト量産が可能である。
【００３０】
次に、図７（ａ）は複数個のボ−ル１９を押圧部材とした第３実施例のＰＨ１に関し、図７（ｂ）は裏面ブラケット３の内部構造である。即ち、本実施例では図７（ｂ）の様に裏面ブラケット１０にボ−ル１９用の傾斜溝２６を所定間隔で加工し、該傾斜溝に４個のボ−ル（球体）１９を転動自在に配設して表面パネル２を裏面ブラケット３の支持端部５ａ、５ｂに設けた位置決めロッド２２ａ，２２ｂで位置合わせ係合し、本実施例では裏面ブラケット３と表面パネル２を両端部で合体固着する。裏面ブラケット３の両支持端部５ａ、５ｂに回動穴２７ａ、２７ｂを加工し、後述する保持ブラケット１３（図１５、図１７参照）に回動支持構成してモニタ用原稿ホルダーとすることが出来る。
ところで、図７（ａ）の様に組立られた第３実施例のＰＨ１のＢ−Ｂ断面は前記６（ａ）と同様、図８（ａ）の様になる。更に、前記図６（ａ）、図７（ａ）に複数枚の用紙８を挟持した状態の断面状況は図８（ｂ）の様になる。なお、図８における湾曲部２９は金型によるプラスチック成型加工時に肉厚さを均一にする成型手法を勘案したものである。粘着テープ２８は本ＰＨ１をボード等に貼り付けて使用する為のものである。
【００３１】
本ＰＨ１は、前記表面パネル２と裏面ブラケット３を少なくとも端部で合体して下部と上部に開口部を設け、開口下部から挿入した挟持紙を開口上部に抜取る様に基本構成した結果、前記用紙８の押圧挟持部材として転動体２０に置換えて弾性ゴムを用いた場合も同様に目的が果せる。
図９は、所謂、串歯状ゴム３０に成型加工したゴム素材を押圧挟持部材としたＰＨ１の第４実施例であり、図９の各図を同時参照しつつ説明する。ＰＨ１筐体は前記各実施例と同様構成によるもので、前記と同一構成部分の説明を省略し要点のみを説明する。
串歯状ゴム３０は、斜視図を図９（ｃ）、断面図を図９（ｄ）に示す様に、例えば、ゴム素材でＶ字型とした一端側を図示の様に串歯状の串歯ゴム３２に加工し、該先端部で用紙を押圧挟持する様に加工したもので、傾斜角βで折り返した他端を図９（ｃ）の様に取付底部３３として成型加工し用紙押圧部材とする実施例である。
【００３２】
図９（ｂ）は、図９（ａ）の第４実施例のＣ−Ｃ線方向の切断要部斜視図である。本ＰＨ１の裏面ブラケット３下部には挿入ガイド部１７や溝部３１を備え、組立方法としては、先ず串歯状ゴム３０を溝部３１に固着し、表面パネル２を裏面ブラケット３に位置合わせして圧入合体固着する。
図９（ｄ）は、図９（ａ）に複数枚の用紙８を挟持したＤ−Ｄ断面図である。串歯状ゴム３０は該串歯ゴム３２が表面パネル２の内壁に対して所定圧力で当接される寸法で加工され、図９（ｄ）の様に裏面ブラケット３の溝部３１に折返底部３３が固着される。因みに、串歯ゴム３２の実施例寸法は串歯のピッチ間隔：１０〜１５ｍｍ、串歯高さ：略１０ｍｍ、図示の傾斜角β：略６０度、ゴム厚：２ｍｍ程度のポリウレタン系のゴム素材等で成型加工したものである。
なお、本実施例では図９（ｄ）の断面図の様に折曲げ加工した串歯状ゴム３０の順方向から用紙を挿入して串歯ゴム３２の先端で押圧挟持し、且つ、折曲げゴムの順方向（ゴム弾力に逆らうことなく）に用紙を抜取る様に構成した結果、串歯状ゴム３０の充分な押圧挟持力で多数枚の用紙の安定挟持が可能であり、前記転動部材を用いた実施例同様にワンタッチで用紙着脱が出来て、発明効果を発揮したＰＨ１が実現出来る。
【００３３】
次に、第５実施例について図１０（ａ）〜図１０（ｃ）と共に説明する。前記各実施例は裏面ブラケット３と表面パネル２とを両端部で合体支持した構成であった。即ち、本ＰＨ１は下から挿入した用紙８を上から抜取ることを基本構成としており、特に、ＰＨ１を幅広とする場合は開口部の平行度を保持する為にも裏面ブラケット３と表面パネル２を両端部で強固に合体支持する構成が勿論望ましい。
しかし、車載用や電話機及び事務机用等のメモクリップや壁面設置用の小型クリップとしては、図１０（ａ）に外観を示す様に所謂片端で合体支持構成した場合にも充分目的が果せる。
なお、この第５実施例ではメモクリップ用等として用紙着脱を容易にする為に図１０（ａ）の様に用紙８を下挿入口９からの挿入と共に、開口した白矢印９ａの横方向からの用紙挿入もし得る様にした構成である。本片端支持型ＰＨ１は、図１０（ｂ）の様に裏面ブラケット３の片端を支持端部５ｂとして、該支持端部５ｂに位置決めロッド２２ｂ、２２ｃを立設し、表面パネル２における図示しない嵌合穴と圧入合体固着して図１０（ａ）に示す外観の片端支持型ＰＨ１が組立される。
【００３４】
ところで、図１０（ａ）に示す様に横方向からの用紙８を挿入し易くするには、図１０（ｃ）の様にロ−ラ−１１を水平線に対して時計方向にα角宛傾けた配設状態とすれば望ましく、α角を１０度程度に設定することで用紙８を横方向から挿入した際にロ−ラ−１１が破線で示す状態に遊動され、用紙８が表面パネル２とロ−ラ−１１間に円滑に挿入挟持される。
図１１及び図１２は、前記図１０の第５実施例と同様機能のＰＨ１を、前記ボール１９や串歯状ゴム３０を用いて構成した片端支持型の小型ＰＨ１の第６及び第７実施例である。構成内容は前記各実施例の説明から既に明らかなものと思われるので説明は省略するが、ボール１９や串歯状ゴム３０を用紙押圧挟持部材とした場合も前記第５実施例と同様メモクリップ用等の目的に供し得、更に、支持端部５ｂに設けた回動穴２７ｂを後述する保持ブラケット１３（図１５参照）に回動支持するかモニタ枠に直接貼り着して原稿ホルダーとすることも出来る。
【００３５】
さて、図１３は図５と共に前記した用紙８を端部まで引上げた際にも折れ曲らない、所謂、折れ曲り防止型ＰＨ１の具体的実施例構造を例示した第８実施例である。図１３（ａ）は正面斜め上からの斜視図、図１３（ｂ）、図１３（ｃ）、図１３（ｅ）、図１３（ｆ）は夫々図１３（ａ）のＥ−Ｅ線で切断した右支持端側の斜視図、そして、図１３（ｄ）は該端部の平面図である。
図１３（ａ）の実施例ＰＨ１は、直線領域をＬ３、両端部の折り曲げ領域をＬ４、中央部に仕切り塀２１ａを設けて中間の両側に２個のローラー１１を配設し、図１３（ｂ）に裏面ブラケット３の端部の内部構造を示す様に折曲げ領域Ｌ４部分には、本実施例では押圧部材のローラー１１は配設せず、図１３（ｂ）の裏面ブラケット３の支持端部５ｂで、固定ネジ６ｃ、６ｄによりネジ穴２３ｃ、２３ｄを貫通して表面パネル２を取付け図１３（ｃ）に示すＰＨ１を組立構成している。
なお、図１３（ｄ）の平面図等における両支持端部５ａ、５ｂに設けた凸部３５ａ〜３５ｄはＰＨ１を原稿ホルダーとしてモニタに取付けて回動動作した場合に節度的に制動動作し得る様にした部分である（図１５参照）。
更に、図１３（ｅ）は用紙押圧部材としてボール１９を用い、そして、図１３（ｆ）は前記串歯状ゴム３０を用いて構成した夫々第８実施例である。
【００３６】
図１４は、前記図１０〜図１２に片端支持型として示した実施例に前記折れ曲り防止機能を具備するようにした第９実施例である。片端支持型構成とした場合にも用紙の抜取口１０を湾曲形状に構成することで、例えば、保持すべき用紙の右側端部だけを湾曲状に挟持保持する構成として用紙引上げ時の折れ曲りを防止した片端支持型のＰＨ１が構成出来る。
【００３７】
さて、前記したように本ＰＨ１の具体的活用例としてはパソコンモニタ用の原稿ホルダーがある。特に、回動式構成として不使用時はモニタ筐体に折畳んでスペースを占有することなく、使用時に１８０度開いて原稿ホルダーとする場合に発明効果を如何なく発揮する。図１５は、図５と共に前記した本ＰＨ１をモニタ筐体に取付ける為の保持ブラケット１３に関し、図１５（ａ）は既に図１３（ｄ）と共に前記した端部の平面図を併記したものである。
図１５（ｂ）は、保持ブラケット１３の実施例斜視図である。図示の様に端部に切欠部３６やシャフト穴３７、タップ３８が加工され該切欠部３６にＰＨ１の支持端部５ｂを挿入して回動穴２７ｂにネジシャフト３９をセットして、図１６（ｆ）に図解する様な回動動作をし得るようにしたものである。
一方、図１６（ｃ）はノート型に用いるクリップ式ホルダー４０である。主板４１に立設されたシャフト４５に回動穴２７ｂを嵌挿し主板４１と挟み板４２でノート型の上蓋を挟持クリップして図１６（ｆ）の回動動作をする様にしたクリップ式ホルダー４０に関し、支点ピン４３、スプリング４４等を備えて構成されている（図１８参照）。
【００３８】
図１５（ｄ）は、シャフト４５を含めた全体を樹脂素材で一体成型した保持ブラケット１３であり、図１５（ｅ）は該シャフト４５にＰＨ１の回動穴２７ｂを嵌挿した組立状況を示す。保持ブラケット１３を図１５（ｃ）、図１５（ｄ）の様に成型加工して用いる場合は、原稿ホルダー組立体の低コスト化が図れる。
図１５（ｆ）は、組立られたＰＨ１を回動した場合の原稿ホルダーの平面図である。例えば、図１５（ｆ）の破線位置はＰＨ１がモニタ１４筐体（図５の水平枠１４ｂ）に折畳まれた不使用時の位置を示し、便宜上該位置を０度とする。図１５（ｆ）に示す回動動作に伴い図１３を参照に前記した支持端部５ａ、５ｂに形成された凸部が下記の様に制動作用する。
即ち、図１５（ｆ）の様にＰＨ１を回動した際、前記０度位置では支持端部５ｂに設けた凸部３５ｃが保持ブラケット１３の接触面４６に当接され、そして、ＰＨ１を実線の1８０度位置に開いた状態では凸部３５ｄが接触面４６に当接されて夫々の位置で節度的に制動係止される（図５、図１７、図１８参照）。
【００３９】
図１６（ａ）、図１６（ｂ）は用紙挟持部材における転動体２０の他の実施例を夫々示す。図１６（ａ）はロ−ラ−１１の中央小径部分１１ｂに対して、両端の直径を若干大径部１１ａに加工し両端部で用紙を押圧する様にしたロ−ラ−１１である。又、図１６（ｂ）は断面形状が多角形３４の転動体を用紙押圧部材とした実施例であるが、試作実験結果では直径を５ｍｍ以上とし、周面が６角形以上の形体であれば多角形状のロ−ラ−１１やボール１９を転動体とした場合にも良好に目的が果せる。
【００４０】
さて、前記ＰＨ１を用いてモニタ１４用の原稿ホルダーとした実施例の具体的使用例について、図１７、図１８と共に説明する。先ず、本原稿ホルダーは保持ブラケット１３に対する組立方法を図１５に示した様にＰＨ１の回動穴２７ａ、２７ｂのどちらを保持ブラケット１３のシャフト４５に嵌挿するかによってモニタ左右何れの配置にも対応が可能な特徴がある。
図１７は、原稿ホルダーを例えばデスクトップ型モニタの左配置に取付けた例で、前記図１５に示した保持ブラケット１３に貼り着した粘着テープ２８でモニタ１４の左垂直枠１４ａに固着し、図１７（ａ）はＰＨ１をモニタ１４の水平枠１４ｂにコンパクトに折畳んだ不使用時の態様である。
図１７（ｂ）は、矢印左側に１８０度近く開いてＰＨ１に原稿８を保持した使用状態の斜視図である。
【００４１】
図１８は、前記原稿ホルダーをノート型４７に取付けた場合の実施例である。原稿ホルダーをノート型用とする場合は上蓋４８を開閉する都合から前記図１５（ｃ）に示したクリップ式ホルダー４０を用いてワンタッチ着脱式とすると大変便利である。図１８（ａ）は上蓋４８の左垂直枠１４ａにクリップ取付した状態、図１８（ｂ）は右垂直枠１４ｃにクリップ取付した状態であり、更に、図１８（ｃ）は図１８（ｂ）に原稿８を保持した使用状況である。
次に、図１８（ｄ）は左側配置として上蓋４８の筐体水平枠１４ｂ部分に埋込溝４９を加工し、該埋込溝４９にＰＨ１を回動支持すると共に不使用時は埋込溝４９にコンパクトに折畳める様に一体構成した実施例である。
なお、一体型の回動機構部は埋込溝４９の要部拡大断面を図１８（ｅ）に示す様にＰＨ１の例えば、前記支持端５ｂを埋込溝４９に装着して該回動穴２７ｂにネジシャフト３９をセットして回動支点を構成する。本実施例の様に当初から組込み式の一体型を前提にした構成では勿論上蓋４８の開閉時の如何に関わらずＰＨ１がコンパクト収納される。
【００４２】
本発明のＰＨは、下記の様に実施した場合も良好に目的が果たせる。
１）前記図１７の原稿ホルダーは別体型とした実施例であるが、前記図１８（ｄ）の実施例の様にデスクトップ型等のモニタ枠に対してＰＨ１を組み込んで一体型として実施すると一層便利に目的が果せる。
２）図１８（ｄ）は、ノート型の埋込溝４９にＰＨ１を回動式に構成した実施例を示したが、必要によりＰＨ１を例えば埋込溝４９方向へのスライド式として不使用時は該筐体溝に収納保持し、使用時にモニタ側方に引き出して使用するように構成してもよい。
３）表面パネル２に所謂プラスチックレンズを取付載置する場合は、原稿入力行が拡大視出来るので視力が充分でない作業者に便利な機能効果が発揮される。
【００４３】
【発明の効果】
前記した様に、従来の各種クリップ及び特許文献の開示技術では複数枚の用紙を挟持保持した状態から表面の一枚ずつを抜取ることが出来ず、特に、従来の原稿ホルダーでは入力作業が非効率的なものとなっていた。
本発明のペーパーホルダーは、例えば、パソコンやワープロのキーボードからの入力作業時にモニタ筐体に取付けて原稿ホルダーとする場合、下記に列記する多くの特徴がある。
１）不使用時は、モニタ枠部に折畳めるので保管スペースを占有せず（邪魔にならず）、使用時はモニタに最近接した見易い位置に原稿を挟持保持し得る。
２）原稿ホルダーとして用いた場合は、予め多数枚の原稿をセットした状態から入力済みの一枚ずつが抜き取れて、入力作業が楽に効率良く行い得る。
（３）表面パネルを透明体としたことと関連して、原稿の移送操作により入力行単位の視認送りが可能である。
【００４４】
（４）端部を折曲げ加工した構成では、原稿を端部まで引上げた場合も折れ曲らず原稿が立設掲示され、座高の低いノート型に取付けた場合も原稿が机上で折曲ることなく見易い高さ位置に係止保持される。
（５）モニタ用原稿ホルダーとする場合は、両支持端に回動穴を設けると共に、回動シャフトを備えた保持ブラケットをモニタ筐体に取付ける構成により、モニタ左右両側方の何れの取付け配置にも対応可能とし得る。
（６）少なくとも、表面パネルを透明樹脂素材で成型加工した場合は、意匠的にもユニークで見栄えが良く、構造が簡単であり低コスト実施が出来る。
（７）本ペーパーホルダーは、所謂、片端支持型の“落ちないクリップ”として電話機近傍や車のダッシュボード、更には、モニタ、冷蔵庫、机側面等に取付けるメモクリップや番組表、スケジュール等の掲示用として用いる場合にも便利で大いに効果を発揮する。
【図面の簡単な説明】
【図１】ローラーを用いた本発明の作動原理を説明する為の実験モデルである。
【図２】ボールを用いた本発明の作動原理を説明する為の実験モデルである。
【図３】転動体による用紙挟持機能の基本原理説明用の断面図である。
【図４】本ペーパーホルダーの第１実施例及び機能説明用の斜視図と構造断面である。
【図５】用紙を端部まで引上げても原稿が折れ曲らない第８実施例の説明図である。
【図６】第２実施例ペーパーホルダーの斜視図と各構成細部である。
【図７】第３実施例ペーパーホルダーの斜視図と構成細部である。
【図８】転動体を用いたペーパーホルダー説明用の断面図である。
【図９】串歯ゴム板を用いた第４実施例の斜視図及び挟持部材斜視図と断面図である。
【図１０】第５実施例の斜視図と各構成細部である。
【図１１】第６実施例の外観斜視図と内部構造である。
【図１２】第７実施例の外観斜視図である。
【図１３】第８実施例の各部構成説明用の斜視図である。
【図１４】第９実施例の外観斜視図である。
【図１５】原稿ホルダーとする場合の各種保持ブラケットと回動動作の説明用図面である。
【図１６】転動体の変形例を説明するため斜視図である。
【図１７】原稿ホルダーをモニタに取付けた実施例である。
【図１８】原稿ホルダーをノート型に取付けた実施例である。
【図１９】特許文献１の実開昭５３−７６０２５号公報から引用した開示技術である。
【図２０】特許文献２の特許第２９７２４７８号公報から引用した開示技術である。
【図２１】特許文献３の特公昭５９−４４２３６号公報から引用した開示技術である。
【図２２】特許文献４の特許第２５２９６１７号公報から引用した開示図面である。
【図２３】従来のパソコン用データホルダーの実施例である。
【符号の説明】
１    ペーパーホルダー（ＰＨ）
２    表面パネル
３    裏面ブラケット
４    ボード
５ａ  支持端部
５ｂ  支持端部
６ａ、６ｂ、６ｃ、６ｄ  固定ネジ
７    カーソル線
８    用紙
９    挿入口
１０    抜取口
１１    ローラー
１２    傾斜部
１３    保持ブラケット
１４    モニタ
１５    最終行
１６ａ、１６ｂ  三角板
１７    挿入ガイド部
１８    案内塀
１９    ボール
２０    転動体
２１ａ、２１ｂ  仕切り塀
２２ａ、２２ｂ  位置決めロッド
２３ａ、２３ｂ、２３ｃ、２３ｄ  タップ穴
２４ａ、２４ｂ  位置決め穴
２５ａ、２５ｂ、２５ｃ、２５ｄ  ネジ穴
２６    傾斜溝
２７ａ、２７ｂ  回動穴
２８    粘着テープ
２９    湾曲部
３０    串歯状ゴム
３１    溝部
３２    串歯ゴム
３３    取付底部
３４    多角形
３５ａ、３５ｂ、３５ｃ、３５ｄ  凸部
３６    切欠部
３７    シャフト穴
３８    タップ
３９    ネジシャフト
４０    クリップ式ホルダー
４１    主板
４２    挟み板
４３    支点ピン
４４    スプリング
４５    シャフト
４６    接触面
４７    ノート型
４８    上蓋
４９    埋込溝


【手続補正２】
【補正対象書類名】図面
【補正対象項目名】全図
【補正方法】変更
【補正の内容】
【図１】
2004160953.tif 000029
【図２】
2004160953.tif 000030
【図３】
2004160953.tif 000031
【図４】
2004160953.tif 000032
【図５】
2004160953.tif 000033
【図６】
2004160953.tif 000034
【図７】
2004160953.tif 000035
【図８】
2004160953.tif 000036
【図９】
2004160953.tif 000037
【図１０】
2004160953.tif 000038
【図１１】
2004160953.tif 000039
【図１２】
2004160953.tif 000040
【図１３】
2004160953.tif 000041
【図１４】
2004160953.tif 000042
【図１５】
2004160953.tif 000043
【図１６】
2004160953.tif 000044
【図１７】
2004160953.tif 000045
【図１８】
2004160953.tif 000046
【図１９】
2004160953.tif 000047
【図２０】
2004160953.tif 000048
【図２１】
2004160953.tif 000049
【図２２】
2004160953.tif 000050
【図２３】
2004160953.tif 000051
【手続補正書】
【提出日】平成16年1月16日(2004.1.16)
【手続補正１】
【補正対象書類名】明細書
【補正対象項目名】全文
【補正方法】変更
【補正の内容】
【特許請求の範囲】
【請求項１】表面パネルと裏面ブラケットとを備えて双方を少なくとも一端部で合体支持したことと、前記表面パネルに対向する前記裏面ブラケットの対向壁部に、前記表面パネルの内壁との間隙が下部から上部へ向けて拡がる傾斜部を設けたことと、前記表面パネル内壁と前記傾斜部間にローラーからなる用紙押圧部材を配設したことと、前記対向壁部の少なくとも上部及び下部に開口部を設けたことと、前記合体支持を一端部のみでした場合はさらに横方向にも開口部を設けたことと、前記下部の開口部又は前記横方向の開口部から挿入された用紙を、前記表面パネル内壁に対して前記用紙押圧部材で押圧挟持することと、該挟持用紙が前記上部の開口部から抜取られるようにしたこととを特徴とするペーパーホルダー。
【請求項２】表面パネルと裏面ブラケットとを備えて双方を少なくとも一端部で合体支持したことと、前記表面パネルに対向する前記裏面ブラケットの対向壁部に、前記表面パネルの内壁との間隙が下部から上部へ向けて拡がる傾斜溝を設けたことと、前記表面パネル内壁と前記傾斜溝間にボールからなる用紙押圧部材を配設したことと、前記対向壁部の少なくとも上部及び下部に開口部を設けたことと、前記合体支持を一端部のみでした場合はさらに横方向にも開口部を設けたことと、前記下部の開口部又は前記横方向の開口部から挿入された用紙を、前記表面パネル内壁に対して前記用紙押圧部材で押圧挟持することと、該挟持用紙が前記上部の開口部から抜取られるようにしたこととを特徴とするペーパーホルダー。
【請求項３】表面パネルと裏面ブラケットとを備えて双方を少なくとも一端部で合体支持したことと、前記表面パネルに対向する前記裏面ブラケットの対向壁部に弾性ゴムからなる用紙押圧部材を配設したことと、前記対向壁部の少なくとも上部及び下部に開口部を設けたことと、前記合体支持を一端部のみでした場合はさらに横方向にも開口部を設けたことと、前記下部の開口部又は前記横方向の開口部から挿入された用紙を、前記表面パネルの内壁に対して前記用紙押圧部材で押圧挟持することと、該挟持用紙が前記上部の開口部から抜取られるようにしたこととを特徴とするペーパーホルダー。
【請求項４】前記挟持用紙が複数のＮ枚（但し、Ｎは２以上の正の整数）であった場合は、該複数Ｎ枚目の挟持用紙側から前記用紙押圧部材により前記表面パネル内壁に押圧挟持されて、前記複数Ｎ枚の挟持用紙のうち前記表面パネル内壁に接した用紙が前記上部の開口部から抜取られるように、前記表面パネルを表側にするとともに前記裏面ブラケットを取付け固着して用いることを特徴とする請求項１〜３の何れかに記載のペーパーホルダー。
【発明の詳細な説明】
【０００１】
【発明の属する技術分野】
本発明は、メモ用紙や書類等をクリップ保持したり、パソコンへの入力作業時に原稿や資料等を一時的に挟持保持し、更に、保持した用紙から所要の一枚ずつを抜取るペーパーホルダーである。
【０００２】
【従来の技術】
従来、用紙をクリップする保持具としてバネ式やマグネット式等のクリップが用いられている。又、パーソナルコンピュータ（パソコン）等への入力作業時に原稿書類をモニタ近くに挟持する保持具として図２３に例示する様なデータスタンド８６等が古くから普及している。
図２３のデータスタンド８６は、例えば、図示の台座付きスタンド８７に角度や高さ調整機構を備えて、該ボード８８上にクリップ８９やカーソル９０が配設された原稿８の保持具である。しかし、従来のクリップを用いた場合は複数枚の用紙を挟持保持した状態から一枚目を抜取ると、殆どの場合、残紙が一挙に抜け落ちる大きな欠点がある。
一方、ローラーやボールの転動体を用いて用紙を押圧挟持するようにしたもの（例えば、特許文献１、特許文献２、特許文献３）や、ゴムヒゲを突き合わせて用紙を挟持するようにした文献（例えば、特許文献４）が開示されている。
しかし、下記何れの開示技術も予め複数枚の用紙保持状態から一枚ずつを抜き取る使用目的には供し得ないのである。
【０００３】
【特許文献１】
実開昭５３−７６０２５号公報
【特許文献２】
特許第２９７２４７８号公報
【特許文献３】
特公昭５９−４４２３６号公報
【特許文献４】
特許第２５２９６１７号公報
【０００４】
上記４件の開示技術に関し、先ず、本特許願の構成内容と係りのあるロ−ラ−（丸棒）やボ−ル（球体）を用いた所謂、転動体で用紙を押圧挟持する構成について、本発明と公知技術の構成差異を明らかにする為にも前記代表的特許文献の要部図面を図１９以降に引用し、該引用図面を参照しつつ順次説明する。
図１９は、前記特許文献１の実開昭５３−７６０２５号公報でメモ用紙挟み７０として開示されている断面図を引用したものである。本メモ用紙挟み７０は図１９に示す様に、ロ−ラ−１１の両端部を傾斜面が加工された金属金具７２で台板７１に回動支持し、該下側から挿入した用紙８を台板７１とロ−ラ−１１間に挟持保持し、用紙８を矢印の上側に抜取る用紙挟みである。
【０００５】
図２０は、前記特許文献２の特許第２９７２４７８号公報に従来例の紙片保持具７３として開示されている文献からの引用斜視図である。この紙片保持具７３では図示の様に係止片７４と折曲げた舌片７５間の斜面にローラー１１を配設し、開口下部から挿入した用紙８をローラー１１で係止片７４側に押圧挟持して横方向に用紙８を抜取る構成である。
【０００６】
図２１は、前記特許文献３の特公昭５９−４４２３６号公報の壁面取付型ホルダー７６を引用した斜視図である。この開示技術では図示の様に直径を異にする複数個のボ−ル１９を縦方向に配設し下矢印方向から挿入した用紙８をボ−ル１９で取付板７７に押圧挟持し、矢印横方向に抜取る構成である。
しかし、図２１には複数枚の用紙８を保持した状態が示されているが、ボ−ル１９を図示の様に縦方向に並べた配置で取付板７７とボール１９間に挟持した複数枚の用紙８から一枚目をＢ方向に引き抜くと、用紙間の摩擦力で２枚目以降の残紙も引き摺られて一挙に脱落されてしまうことは明らかである。
【０００７】
次に、図２２は前記特許文献４の特許第２５２９６１７号公報のワンタッチ紙挟み８０を引用した断面図である。このワンタッチ紙挟み８０ではゴム製のヒゲ８３でヒゲ板８４を形成し、該ヒゲ板８４を正面板枠８１と背面板枠８２に取付けて接合８５し、挿入紙を両側のゴムヒゲ弾力で挟持保持するもので製品として具現化されている。
しかし、該製品を用いて実際に数枚のＡ４サイズ用紙を挟持し表側の一枚目を抜取ると、２枚目以降の残紙も一挙に抜け落ちてしまう欠点があり、予め多数枚の原稿をセットした状態から用済みの一枚ずつ抜取る使用目的には供し得ない。
【０００８】
ところで、前記特許文献中、ロ−ラ−１１やボ−ル１９の所謂転動体で用紙を基板間に挟持する前記各開示技術では、用紙８を図１９では台板７１とローラー１１間に、図２０では係止片７４とローラー１１間に、そして、図２１では取付板７７とボール１９間に挟持する構成である。即ち、挿入紙を背面基板と転動体間に挟持する点が前記特許文献に共通した構成上の特徴点である。
しかし、図１、図２の実験モデルの図面に基づいて後述する様にロ−ラ−１１やボ−ル１９の所謂、転動体で用紙８を背面基板と転動体間に挟持する前記公知技術では、一枚ずつの用紙を着脱する目的は果たせ得ても、複数枚の挟持紙を保持する場合は一枚目の抜取りと共に全挟持紙を一旦抜取り、改めて、挟持し直す操作を必要とする欠点がある。
本発明が課題解決を図り実現しようとするペーパーホルダーは、予め、２０〜３０枚位の多数枚の用紙挟持状態から、所要の一枚ずつを抜取った場合にも残紙が一切抜け落ちない挟持機能の実現を目的とする。
【０００９】
【発明が解決しようとする課題】
本発明のペーパーホルダー（以下の説明では、ペーパホルダーのことを単にＰＨと略称して説明することもある）は、メモ用のクリップは勿論、特に、原稿ホルダーとして用いる場合に機能効果を発揮する。そこで、ＰＨの具体的活用例として原稿ホルダーとする場合の解決すべき課題について、課題別に記述すると以下の通りである。
１）従来の用紙挟持具に関する課題。
図２３に例示した代表的な原稿挟持具に、板バネ式やマグネット式等のものが広く用いられている。しかし、データスタンド８６を従来のクリップで構成して予め複数枚の原稿８をクリップ８９し、入力済みの一枚目を抜取った場合に他の挟持原稿も一挙に抜け落ちてしまう不便課題がある。
従って、前記特許文献の開示技術を含む従来の保持具では、一枚ずつの原稿を一々着脱する煩わしい不便課題があり入力作業が効率低下する原因となる。
本ＰＨを原稿ホルダーとする際の第１目的は、予め複数枚の原稿挟持状態から入力済みの一枚ずつが抜き取れる機能を実現し入力作業を効率良く行い得る原稿ホルダーを提供することである（図４参照）。
【００１０】
２）簡単な挟持機構による原稿入力行（カーソル）の視認機能の実現。
前記項の課題解決と関連して原稿ホルダーとする際の第２目的は原稿載置用のボードを用いることなく、原稿の移送操作によって行単位の視認機能を可能とし、従来のカ−ソル送りと同様機能の実現を図ることである（図４、図５参照）。
３）原稿引上げ時の折れ曲り防止機能の実現。
上記入力行の視認機能と関連した第３目的は、原稿を行端部まで引上げた際に、原稿が折れ曲らない該防止機能を備えたＰＨの実現を図ることである。
該折れ曲り防止機能により、例えば、座高の低いノート型に用いた場合に原稿端部が机上で折曲がる課題が良好に解消される（図５、図１８参照）。
【００１１】
４）従来の原稿挟持具におけるスペース課題。
例えば、前記図２３に例示したデータスタンド等の欠点は、使用時、不使用時の別なく設置スペースを占有し机上の作業スペースを狭くしてしまうことと、保持原稿がモニタ画面に対して見易い最近接位置に掲示されず入力行が視認し難く目が疲れることである。
即ち、本ＰＨを原稿ホルダーとした際の第４目的は不使用時はモニタ枠に折畳めてスペースを取らず、使用時に開いて原稿保持し、且つ、モニタに最近接した左右何れの取付け配置にも対応可能としたことである。
【００１２】
【課題を解決する為の手段】
前記課題を解決する為に本発明では、表面パネルと裏面ブラケットとを備えて双方を少なくとも一端部で合体支持したことと、前記表面パネルに対向する前記裏面ブラケットの対向壁部に、前記表面パネルの内壁との間隙が下部から上部へ向けて拡がる傾斜部を設けたことと、前記表面パネル内壁と前記傾斜部間にローラーからなる用紙押圧部材を配設したことと、前記対向壁部の少なくとも上部及び下部に開口部を設けたことと、前記合体支持を一端部のみでした場合はさらに横方向にも開口部を設けたことと、前記下部の開口部又は前記横方向の開口部から挿入された用紙を、前記表面パネル内壁に対して前記用紙押圧部材で押圧挟持することと、該挟持した用紙が前記上部の開口部から抜取られる様にしたペーパーホルダー（ＰＨ）である（請求項１）。
【００１３】
前記課題を解決する為に本発明では、表面パネルと裏面ブラケットとを備えて双方を少なくとも一端部で合体支持したことと、前記表面パネルに対向する前記裏面ブラケットの対向壁部に、前記表面パネルの内壁との間隙が下部から上部へ向けて拡がる傾斜溝を設けたことと、前記表面パネル内壁と前記傾斜溝間にボールからなる用紙押圧部材を配設したことと、前記対向壁部の少なくとも上部及び下部に開口部を設けたことと、前記合体支持を一端部のみでした場合はさらに横方向にも開口部を設けたことと、前記下部の開口部又は前記横方向の開口部から挿入された用紙を、前記表面パネル内壁に対して前記用紙押圧部材で押圧挟持することと、該挟持用紙が前記上部の開口部から抜取られる様にしたペーパーホルダーである（請求項２）。
【００１４】
前記課題を解決する為に本発明では、表面パネルと裏面ブラケットとを備えて双方を少なくとも一端部で合体支持したことと、前記表面パネルに対向する前記裏面ブラケットの対向壁部に弾性ゴムからなる用紙押圧部材を配設したことと、前記対向壁部の少なくとも上部及び下部に開口部を設けたことと、前記合体支持を一端部のみでした場合はさらに横方向にも開口部を設けたことと、前記下部の開口部又は前記横方向の開口部から挿入された用紙を、前記表面パネルの内壁に対して前記用紙押圧部材で押圧挟持することと、該挟持した用紙が前記上部の開口部から抜取られる様にしたペーパーホルダーである（請求項３）。
【００１５】
また、上記請求項１〜３に記載のＰＨは、前記挟持用紙がＮ枚（但し、Ｎは２以上の正の整数）であった場合は、該Ｎ枚目の挟持用紙側から前記用紙押圧部材により前記表面パネル内壁に押圧挟持されて、前記Ｎ枚の挟持用紙のうち前記表面パネル内壁に接した用紙が前記上部の開口部から抜取られるように、前記表面パネルを表側にするとともに前記裏面ブラケットを取付け固着して用いることが好ましい（請求項４）。
【００１６】
【発明の実施の形態】
さて、本発明のＰＨの具体的実施例として、主に原稿ホルダーに適用した構成例について以下に説明する。
本ＰＨは、用紙保持機能として前記従来のクリップや前記特許文献の何れの開示技術によっても達成し得なかった複数枚の用紙保持状態から、一枚ずつを抜取った場合に２枚目以降の挟持紙（本発明では挟持紙のことを用紙、又は、原稿と称して説明することもある）が落脱することのない優れた機能を備えたメモ用紙や書類クリップやキーボードからパソコンやワープロへの入力時に、モニタ筐体に取付ける原稿掲示用として好適な原稿ホルダーの提供を目的とする。
【００１７】
本特許願では、構成要部を理解し易くする為に同一図番中での各構成部分の名称（用語）について、同様な作用をする部分に関しては同様な名称や符号を用いて各図面中に記載し以下図面と共に説明する。
先ず、図１、図２、図３は本ＰＨの基本動作を説明する為の実験モデル１ｊである。即ち、図１は長方形のボード４に対して、例えば、１０度位の傾斜角で切削した２枚の三角板１６ａ、１６ｂと透明アクリル板等を表面パネル２に用い、該三角板１６ａ，１６ｂを２２０ｍｍ位の寸法に離間配置して表面パネル２の両端部を図示の様に４本の固定ネジ６ａ〜６ｄで三角板と共にボ−ド４に固定する。この時、表面パネル２の下端部は用紙挿入口９とする為、ボード４から３ｍｍ程度に離間固定する。
図１は、前記形成のボード４と表面パネル２の対向傾斜壁面に直径が５〜６ｍｍ位の樹脂やアルミ製の丸棒又はパイプからなるロ−ラ−１１を転動体として配設したＰＨの実験モデル１ｊである。なお、用紙は矢印の挿入口９から挿入して上矢印への抜取１０構成である。
【００１８】
次に、図２は前記図１と同様の構成により用紙押圧部材として３個のボール１９を転動体に用いたＰＨの実験モデル１ｊであり、各々のボール１９は案内壁１８で囲んでガイドされる構成にしてある。
さて、図３（ａ）、図３（ｂ）は前記図１、図２の実験モデル１ｊに対して、挿入口９からＮ枚の用紙８を挿入保持した夫々のＡ−Ａ線の拡大断面図である。特に、図３（ａ）、図３（ｂ）はボ−ド４と転動体２０（本発明では、前記ローラー１１とボール１９を総称し転動体２０と称して説明する）間への用紙８挟持状況を示している。
そこで、ボ−ド４と転動体２０間に挟持されたＮ枚の挟持紙８から、今、一枚目を抜取方向１０に抜取った瞬間状況を示したのが図３（ｂ）である。実は、この保持状況は前記図１９の開示技術と全く同様な構成であり、更に、前記図２０や図２１の公知技術で、仮に上端部を開口状態として端部で支持構成した場合も図３（ａ）、図３（ｂ）と全く同様な結果になる。
即ち、この挟持方法では図３（ｂ）の様に一枚目の用紙を抜取った瞬間に転動体２０が矢印方向に遊動されて用紙８から遊離（離脱）され、挟持力が解消されるので残りの用紙８が一挙に脱落されてしまうことは明らかである。
【００１９】
本発明のＰＨ１は、図３（ｃ）、図３（ｄ）の参照説明により構成内容が明らかになる。図３（ｃ）、図３（ｄ）は前記図１や図２におけるＡ−Ａ線での拡大断面を示したものであるが、特に、この場合の実験モデルでは図示の様に用紙８を転動体で押圧挟持する対象壁面を前記図３（ａ）、図３（ｂ）とは逆配置の関係とした点に構成上の特徴がある。
そこで、図３（ｃ）、図３（ｄ）はＮ枚の用紙８が表面パネル２内壁と転動体２０間に挟持保持された状況を示し、今、図３（ｃ）に示すＮ枚の挟持紙８から表面パネル２に接した一枚目を上矢印の抜取方向１０に抜取った瞬間状況を示したのが図３（ｄ）の断面図である。この挟持構成とした場合は、２枚目以降の残紙は一切抜け落ちず保持されたままの状態になる。
即ち、本ＰＨ１の用紙挟持方法は図３（ｃ）、図３（ｄ）を基本構成とし、開口下部から挿入した用紙を表面パネル２と転動体２０間に導いて挟持保持し、開口上部の抜取１０方向に抜取る様にしたＰＨ１である。
更に、原稿ホルダーとする際は後述する様に表面パネル２に透明素材を用いてカーソル線を形成すると共に原稿を行単位で徐々に引上げ係止させる機能を活用することで入力行の視認が出来、前記用紙保持機能と関連して入力作業が楽に、且つ、効率的に行い得る。
【００２０】
そこで、本発明に係る基本構成の要点を理解し易くする為に図３（ｃ）、図３（ｄ）〔図４（ｂ）、図８（ｂ）及び図９（ｄ）同時参照〕を参照しつつ本ＰＨの挟持要点を列記すると以下の通りである。即ち、
１）挟持保持された挟持紙８相互間には、用紙の摺動摩擦力が作用する。
２）転動体２０の質量に応じた傾斜対向壁面への分散された力のベクトルの内、表面パネル２方向への力がＮ枚の挟持紙８を表面パネル２内壁に大きな食い込みによる強い圧力で押圧する。
３）図３（ｄ）の様に、一枚目の用紙を矢印１０方向に抜取った瞬時に前記図３（ｂ）の様に転動体２０が遊動されることなく、２枚目の挟持紙と表面パネル２の内壁間に空隙は生じないので残紙は落下しない。
４）従って、図３（ｄ）の様にＮ枚の挟持紙から一枚目を矢印１０方向に抜取った際、一枚目から２枚目以降に及ぼす上向きの重力に抗した摩擦力が、転動体２０からの押圧力によるＮ枚目から２枚目に及ぼす相互摩擦力に勝らない限り、２枚目以降の用紙が一緒に引き摺られることなく、他の挟持紙８は挟持保持されたままの状態となる。
参考までに、以上に列記説明した状況は前記図３（ｃ）の挟持状態から、最初に裏側のＮ枚目を上方向に抜取った場合には（実用的には無意味なことであるが）、前記図３（ｂ）と同様、一挙に抜け落ちてしまう結果になる。
【００２１】
ところで、前記特許文献からの引用図として示した図１９、図２０、図２１及び、前記図１や図２に実験モデル１ｊとして示した各構成では開口下部から挿入した用紙８が、図３（ａ）に示す様に常にボ−ド４（背面基板）と転動体２０間に導かれて挟持される状況は明らかである。
そこで、図１、図２の実験モデル１ｊにおいて挿入口９の用紙８を常に図３（ｃ）の保持状態とするには、図１、図２の挿入口９に細線で示す様な挿入ガイド部１７、即ち、図３（ｃ）、図３（ｄ）に示す様な断面形状が略三角形の挿入ガイド部１７をボード４の挿入口９に設け、該ガイド部により挿入口９からの挿入紙８を表面パネル２と転動体２０間に導く構成とすればよい。
【００２２】
次に、図４、図５は前記した基本構成に基づいて構成したＰＨ１に複数枚の用紙８を保持した状態を示し、本発明のＰＨ１が狙いとする前記第１〜第３の三つの目的機能や特徴を備えた実施例である。又、図４（ｂ）は図４（ａ）への用紙８保持状態のＡ−Ａ線での断面構造を示したものである。
ところで、図４（ａ）はボード４と一体構成したＰＨ１の第１実施例に関し、図４（ｂ）に一点斜線で囲んだ個所が裏面ブラケット３部分であり、該裏面ブラケット３には傾斜部１２にローラー転動体２０を配設してボード４に裏面ブラケット３を一体加工した構成である。即ち、傾斜部１２等を備えて図４（ｂ）の様に加工した裏面ブラケット３に転動体２０を挿入後、両支持端部５ａ、５ｂに表面パネル２を４本の固定ネジ６ａ〜６ｂで取付けてＰＨ１としたものである。
表面パネル２の上縁には、シルク印刷や溝線刻印によりカーソル線７が形成してあり、図４（ａ）は挿入口９から挿入した複数枚の用紙８の挟持状態から、一枚目の上端を左手親指と人差し指で抜取方向１０に入力行をカーソル線７に合わせて視認と係止を繰り返しつつ徐々に引上げ操作する使用状況を示している。
なお、図４の実施例では傾斜部１２をボード４表面から背面側に引っ込めた構造形体として転動体２０を配置した結果、本実施例では前記挿入ガイド部１７を特に必要としない。
【００２３】
ところで、前記図４のＰＨ１では抜取１０方向に引き上げ係止した用紙８が常に背面側に倒れるようにボード４を垂直配置位置から図４（ｃ）の様にθ角（略１３度）宛傾斜配置としてある。従って、端部まで引上げた用紙は当然背面側に折れ曲ってしまうが、この場合、折れ曲り部分は既に入力済みの行部分であるので入力作業時の支障とはならない。
しかし、本発明のＰＨ１の更なる改良点は、用紙８を端部まで引上げた際にも用紙８の折れ曲りを図５の様に防止構成とした点である。即ち、図５は後述の第８実施例のＰＨ１（図１３、図１７参照）を保持ブラケット１３に回動支持し、モニタ１４の左垂直枠１４ａに粘着テープで取付けた状態である。
そして、図５はモニタ１４に取付けたＰＨ１を使用状態に開き複数枚の原稿（用紙）８保持状態から一枚目８を最終行１５まで引上げ係止した拡大図である。
第８実施例のＰＨ１の構造に関しては、図１３、図１５と共に後述するが図５のＰＨ１は両端部が手前側に若干折れ曲った構造形体とされており、従って、抜取口１０からの抜取り原稿８も幾分湾曲状とされ、該湾曲状態で挟持保持された原稿８は剛性による腰強さ効果で前後への折れ曲りが確実に防止されて設立掲示される。
【００２４】
さて、図４、図５のＰＨ１は前記した本発明が狙いとする下記三つの機能目的を実現したものである。即ち、
１）予め複数枚の用紙をセットした状態から一枚ずつを抜取った場合に２枚目以降が抜け落ちない。
２）ボードを用いることなく、用紙抜取方向への操作と関連して入力行の視認機能を可能とし、従来のカ−ソル機能と同様効果が発揮される。
３）原稿を端部まで引上げ係止しても、用紙が折れ曲らず立設保持される。
従って、本ＰＨ１を図５の様にモニタ用原稿ホルダーとした場合は、前記図２３に示した従来のデータスタンドの様に一枚ずつの原稿を着脱する煩わしさが省け、且つ、スペースを占有せず、原稿が見易く、入力作業を効率良く行い得る等優れた効果を発揮する。
更に、図５の様に折れ曲り防止機能を備えた場合は座高の低いノート型に取付けた場合も原稿下部が机上で折曲がる課題が解消される。
【００２５】
さて、前記した実験モデルの図解説明や図４、図５を参照しつつ前記した機能説明から本発明ＰＨ１の構成要点や特徴及び公知技術との相違点は充分明らかになったものと思われるので、以下の各具体的実施例では重複説明を極力省略し実施例の図面を完備して要点を簡潔に記述する。
図６（ａ）は、前記基本原理に基づくＰＨ１の第２実施例の斜視図、図６（ｂ）及び図６（ｃ）は構成細部を、そして図８に、図６（ａ）のＢ−Ｂ断面を示し、以下図６（ａ）、図６（ｂ）、図６（ｃ）及び、図８を同時参照しつつ関連的に説明する。
本ＰＨ１では、少なくとも表面パネル２を透明性の樹脂素材で加工実施したことに関連して内部が透けて見えることなる。従って、本実施例図面では内部の構成主要部品を細線で図解表示してある。
【００２６】
さて、第２実施例の裏面ブラケット３には図８の様に挿入口９に挿入ガイド部１７や図６（ｃ）に示す二つの塀２１ａ，２１ｂで仕切られたα角の傾斜面１２が加工され、更に、支持端部５ａ、５ｂには位置決めロッド２２ａ，２２ｂ、タップ穴２３ａ〜２３ｄが加工されている。一方、表面パネル２を裏返して示した図６（ｂ）の両端部には位置決め穴２４ａ、２４ｂやネジ穴２５ａ〜２５ｄ及びカーソル線７が設けられ、用紙挿入口９が図示形状に傾斜加工してある。
次に、図６（ｃ）の様に３個のローラー１１各々を裏面ブラケット３に配設し図６（ｂ）の表面パネル２を所定位置に係合して４本の固定ネジ６ａ〜６ｄで裏面ブラケット３に合体したＰＨ１が図６（ａ）である。
なお、用紙押圧部材としてローラー１１を複数個用いた場合は各構成部品の平行度に狂いや歪みが生じた場合にも一様な挟持力が得られる。
ここで、具体的な実施例寸法との関係について記載すると、図８（ａ）の断面図の開口間隙ｄ：略２ｍｍ、傾斜部１２の傾斜角α：略１０度、アルミローラー棒の直径：φ５ｍｍ、Ａ４サイズ縦吊り用とした実施例では図６（ｃ）の用紙挟持幅Ｌ１：略２１５ｍｍ、ローラー長Ｌ２：６５ｍｍとして実施している。他の構成部品はプラスチック成型として低コスト量産が可能である。
【００２７】
次に、図７（ａ）は複数個のボ−ル１９を押圧部材とした第３実施例のＰＨ１に関し、図７（ｂ）は裏面ブラケット３の内部構造である。即ち、本実施例では図７（ｂ）の様に裏面ブラケット１０にボ−ル１９用の傾斜溝２６を所定間隔で加工し、該傾斜溝に４個のボ−ル（球体）１９を転動自在に配設して表面パネル２を裏面ブラケット３の支持端部５ａ、５ｂに設けた位置決めロッド２２ａ，２２ｂで位置合わせ係合し、本実施例では裏面ブラケット３と表面パネル２を両端部で合体固着する。裏面ブラケット３の両支持端部５ａ、５ｂに回動穴２７ａ、２７ｂを加工し、後述する保持ブラケット１３（図１５、図１７参照）に回動支持構成してモニタ用原稿ホルダーとすることが出来る。
ところで、図７（ａ）の様に組立られた第３実施例のＰＨ１のＢ−Ｂ断面は前記６（ａ）と同様、図８（ａ）の様になる。更に、前記図６（ａ）、図７（ａ）に複数枚の用紙８を挟持した状態の断面状況は図８（ｂ）の様になる。なお、図８における湾曲部２９は金型によるプラスチック成型加工時に肉厚さを均一にする成型手法を勘案したものである。粘着テープ２８は本ＰＨ１をボード等に貼り付けて使用する為のものである。
【００２８】
本ＰＨ１は、前記表面パネル２と裏面ブラケット３を少なくとも端部で合体して下部と上部に開口部を設け、開口下部から挿入した挟持紙を開口上部に抜取る様に基本構成した結果、前記用紙８の押圧挟持部材として転動体２０に置換えて弾性ゴムを用いた場合も同様に目的が果せる。
図９は、所謂、串歯状ゴム３０に成型加工したゴム素材を押圧挟持部材としたＰＨ１の第４実施例であり、図９の各図を同時参照しつつ説明する。ＰＨ１筐体は前記各実施例と同様構成によるもので、前記と同一構成部分の説明を省略し要点のみを説明する。
串歯状ゴム３０は、斜視図を図９（ｃ）、断面図を図９（ｄ）に示す様に、例えば、ゴム素材でＶ字型とした一端側を図示の様に串歯状の串歯ゴム３２に加工し、該先端部で用紙を押圧挟持する様に加工したもので、傾斜角βで折り返した他端を図９（ｃ）の様に取付底部３３として成型加工し用紙押圧部材とする実施例である。
【００２９】
図９（ｂ）は、図９（ａ）の第４実施例のＣ−Ｃ線方向の切断要部斜視図である。本ＰＨ１の裏面ブラケット３下部には挿入ガイド部１７や溝部３１を備え、組立方法としては、先ず串歯状ゴム３０を溝部３１に固着し、表面パネル２を裏面ブラケット３に位置合わせして圧入合体固着する。
図９（ｄ）は、図９（ａ）に複数枚の用紙８を挟持したＤ−Ｄ断面図である。串歯状ゴム３０は該串歯ゴム３２が表面パネル２の内壁に対して所定圧力で当接される寸法で加工され、図９（ｄ）の様に裏面ブラケット３の溝部３１に折返底部３３が固着される。因みに、串歯ゴム３２の実施例寸法は串歯のピッチ間隔：１０〜１５ｍｍ、串歯高さ：略１０ｍｍ、図示の傾斜角β：略６０度、ゴム厚：２ｍｍ程度のポリウレタン系のゴム素材等で成型加工したものである。
なお、本実施例では図９（ｄ）の断面図の様に折曲げ加工した串歯状ゴム３０の順方向から用紙を挿入して串歯ゴム３２の先端で押圧挟持し、且つ、折曲げゴムの順方向（ゴム弾力に逆らうことなく）に用紙を抜取る様に構成した結果、串歯状ゴム３０の充分な押圧挟持力で多数枚の用紙の安定挟持が可能であり、前記転動部材を用いた実施例同様にワンタッチで用紙着脱が出来て、発明効果を発揮したＰＨ１が実現出来る。
【００３０】
次に、第５実施例について図１０（ａ）〜図１０（ｃ）と共に説明する。前記各実施例は裏面ブラケット３と表面パネル２とを両端部で合体支持した構成であった。即ち、本ＰＨ１は下から挿入した用紙８を上から抜取ることを基本構成としており、特に、ＰＨ１を幅広とする場合は開口部の平行度を保持する為にも裏面ブラケット３と表面パネル２を両端部で強固に合体支持する構成が勿論望ましい。
しかし、車載用や電話機及び事務机用等のメモクリップや壁面設置用の小型クリップとしては、図１０（ａ）に外観を示す様に所謂片端で合体支持構成した場合にも充分目的が果せる。
なお、この第５実施例ではメモクリップ用等として用紙着脱を容易にする為に図１０（ａ）の様に用紙８を下挿入口９からの挿入と共に、開口した白矢印９ａの横方向からの用紙挿入もし得る様にした構成である。本片端支持型ＰＨ１は、図１０（ｂ）の様に裏面ブラケット３の片端を支持端部５ｂとして、該支持端部５ｂに位置決めロッド２２ｂ、２２ｃを立設し、表面パネル２における図示しない嵌合穴と圧入合体固着して図１０（ａ）に示す外観の片端支持型ＰＨ１が組立される。
【００３１】
ところで、図１０（ａ）に示す様に横方向からの用紙８を挿入し易くするには、図１０（ｃ）の様にロ−ラ−１１を水平線に対して時計方向に∂角宛傾けた配設状態とすれば望ましく、∂角を１０度程度に設定することで用紙８を横方向から挿入した際にロ−ラ−１１が破線で示す状態に遊動され、用紙８が表面パネル２とロ−ラ−１１間に円滑に挿入挟持される。
図１１及び図１２は、前記図１０の第５実施例と同様機能のＰＨ１を、前記ボール１９や串歯状ゴム３０を用いて構成した片端支持型の小型ＰＨ１の第６及び第７実施例である。構成内容は前記各実施例の説明から既に明らかなものと思われるので説明は省略するが、ボール１９や串歯状ゴム３０を用紙押圧挟持部材とした場合も前記第５実施例と同様メモクリップ用等の目的に供し得、更に、支持端部５ｂに設けた回動穴２７ｂを後述する保持ブラケット１３（図１５参照）に回動支持するかモニタ枠に直接貼着して原稿ホルダーとすることも出来る。
【００３２】
さて、図１３は図５と共に前記した用紙８を端部まで引上げた際にも折れ曲らない、所謂、折れ曲り防止型ＰＨ１の具体的実施例構造を例示した第８実施例である。図１３（ａ）は正面斜め上からの斜視図、図１３（ｂ）、図１３（ｃ）、図１３（ｅ）、図１３（ｆ）は夫々図１３（ａ）のＥ−Ｅ線で切断した右支持端側の斜視図、そして、図１３（ｄ）は該端部の平面図である。
図１３（ａ）の実施例ＰＨ１は、直線領域をＬ３、両端部の折り曲げ領域をＬ４、中央部に仕切り塀２１ａを設けて中間の両側に２個のローラー１１を配設し、図１３（ｂ）に裏面ブラケット３の端部の内部構造を示す様に折曲げ領域Ｌ４部分には、本実施例では押圧部材のローラー１１は配設せず、図１３（ｂ）の裏面ブラケット３の支持端部５ｂで、固定ネジ６ｃ、６ｄによりネジ穴２３ｃ、２３ｄを貫通して表面パネル２を取付け図１３（ｃ）に示すＰＨ１を組立構成している。
なお、図１３（ｄ）の平面図等における両支持端部５ａ、５ｂに設けた凸部３５ａ〜３５ｄはＰＨ１を原稿ホルダーとしてモニタに取付けて回動動作した場合に節度的に制動動作し得る様にした部分である（図１５参照）。
更に、図１３（ｅ）は用紙押圧部材としてボール１９を用い、そして、図１３（ｆ）は前記串歯状ゴム３０を用いて構成した夫々第８実施例である。
【００３３】
図１４は、前記図１０〜図１２に片端支持型として示した実施例に前記折れ曲り防止機能を具備するようにした第９実施例である。片端支持型構成とした場合にも用紙の抜取口１０を湾曲形状に構成することで、例えば、保持すべき用紙の右側端部だけを湾曲状に挟持保持する構成として用紙引上げ時の折れ曲りを防止した片端支持型のＰＨ１が構成出来る。
【００３４】
さて、前記したように本ＰＨ１の具体的活用例としてはパソコンモニタ用の原稿ホルダーがある。特に、回動式構成として不使用時はモニタ筐体に折畳んでスペースを占有することなく、使用時に１８０度開いて原稿ホルダーとする場合に発明効果を如何なく発揮する。図１５は、図５と共に前記した本ＰＨ１をモニタ筐体に取付ける為の保持ブラケット１３に関し、図１５（ａ）は既に図１３（ｄ）と共に前記した端部の平面図を併記したものである。
図１５（ｂ）は、保持ブラケット１３の実施例斜視図である。図示の様に端部に切欠部３６やシャフト穴３７、タップ３８が加工され該切欠部３６にＰＨ１の支持端部５ｂを挿入して回動穴２７ｂにネジシャフト３９をセットして、図１６（ｆ）に図解する様な回動動作をし得るようにしたものである。
一方、図１６（ｃ）はノート型に用いるクリップ式ホルダー４０である。主板４１に立設されたシャフト４５に回動穴２７ｂを嵌挿し主板４１と挟み板４２でノート型の上蓋を挟持クリップして図１６（ｆ）の回動動作をする様にしたクリップ式ホルダー４０に関し、支点ピン４３、スプリング４４等を備えて構成されている（図１８参照）。
【００３５】
図１５（ｄ）は、シャフト４５を含めた全体を樹脂素材で一体成型した保持ブラケット１３であり、図１５（ｅ）は該シャフト４５にＰＨ１の回動穴２７ｂを嵌挿した組立状況を示す。保持ブラケット１３を図１５（ｃ）、図１５（ｄ）の様に成型加工して用いる場合は、原稿ホルダー組立体の低コスト化が図れる。
図１５（ｆ）は、組立られたＰＨ１を回動した場合の原稿ホルダーの平面図である。例えば、図１５（ｆ）の破線位置はＰＨ１がモニタ１４筐体（図５の水平枠１４ｂ）に折畳まれた不使用時の位置を示し、便宜上該位置を０度とする。図１５（ｆ）に示す回動動作に伴い図１３を参照に前記した支持端部５ａ、５ｂに形成された凸部が下記の様に制動作用する。
即ち、図１５（ｆ）の様にＰＨ１を回動した際、前記０度位置では支持端部５ｂに設けた凸部３５ｃが保持ブラケット１３の接触面４６に当接され、そして、ＰＨ１を実線の1８０度位置に開いた状態では凸部３５ｄが接触面４６に当接されて夫々の位置で節度的に制動係止される（図５、図１７、図１８参照）。
【００３６】
図１６（ａ）、図１６（ｂ）は用紙挟持部材における転動体２０の他の実施例を夫々示す。図１６（ａ）はロ−ラ−１１の中央小径部分１１ｂに対して、両端の直径を若干大径部１１ａに加工し両端部で用紙を押圧する様にしたロ−ラ−１１である。又、図１６（ｂ）は断面形状が多角形３４の転動体を用紙押圧部材とした実施例であるが、試作実験結果では直径を５ｍｍ以上とし、周面が６角形以上の形体であれば多角形状のロ−ラ−１１やボール１９を転動体とした場合にも良好に目的が果せる。
【００３７】
さて、前記ＰＨ１を用いてモニタ１４用の原稿ホルダーとした実施例の具体的使用例について、図１７、図１８と共に説明する。先ず、本原稿ホルダーは保持ブラケット１３に対する組立方法を図１５に示した様にＰＨ１の回動穴２７ａ、２７ｂのどちらを保持ブラケット１３のシャフト４５に嵌挿するかによってモニタ左右何れの配置にも対応が可能な特徴がある。
図１７は、原稿ホルダーを例えばデスクトップ型モニタの左配置に取付けた例で、前記図１５に示した保持ブラケット１３に貼着した粘着テープ２８でモニタ１４の左垂直枠１４ａに固着し、図１７（ａ）はＰＨ１をモニタ１４の水平枠１４ｂにコンパクトに折畳んだ不使用時の態様である。
図１７（ｂ）は、矢印左側に１８０度近く開いてＰＨ１に原稿８を保持した使用状態の斜視図である。
【００３８】
図１８は、前記原稿ホルダーをノート型４７に取付けた場合の実施例である。原稿ホルダーをノート型用とする場合は上蓋４８を開閉する都合から前記図１５（ｃ）に示したクリップ式ホルダー４０を用いてワンタッチ着脱式とすると大変便利である。図１８（ａ）は上蓋４８の左垂直枠１４ａにクリップ取付した状態、図１８（ｂ）は右垂直枠１４ｃにクリップ取付した状態であり、更に、図１８（ｃ）は図１８（ｂ）に原稿８を保持した使用状況である。
次に、図１８（ｄ）は左側配置として上蓋４８の筐体水平枠１４ｂ部分に埋込溝４９を加工し、該埋込溝４９にＰＨ１を回動支持すると共に不使用時は埋込溝４９にコンパクトに折畳める様に一体構成した実施例である。
なお、一体型の回動機構部は埋込溝４９の要部拡大断面を図１８（ｅ）に示す様にＰＨ１の例えば、前記支持端５ｂを埋込溝４９に装着して該回動穴２７ｂにネジシャフト３９をセットして回動支点を構成する。本実施例の様に当初から組込み式の一体型を前提にした構成では勿論上蓋４８の開閉時の如何に関わらずＰＨ１がコンパクト収納される。
【００３９】
本発明のＰＨは、下記の様に実施した場合も良好に目的が果たせる。
１）前記図１７の原稿ホルダーは別体型とした実施例であるが、前記図１８（ｄ）の実施例の様にデスクトップ型等のモニタ枠に対してＰＨ１を組み込んで一体型として実施すると一層便利に目的が果せる。
２）図１８（ｄ）は、ノート型の埋込溝４９にＰＨ１を回動式に構成した実施例を示したが、必要によりＰＨ１を例えば埋込溝４９方向へのスライド式として不使用時は該筐体溝に収納保持し、使用時にモニタ側方に引き出して使用するように構成してもよい。
３）表面パネル２に所謂プラスチックレンズを取付載置する場合は、原稿入力行が拡大視出来るので視力が充分でない作業者に便利な機能効果が発揮される。
【００４０】
【発明の効果】
前記した様に、従来の各種クリップ及び特許文献の開示技術では複数枚の用紙を挟持保持した状態から表面の一枚ずつを抜取ることが出来ず、特に、従来の原稿ホルダーでは入力作業が非効率的なものとなっていた。
本発明のペーパーホルダーは、例えば、パソコンやワープロのキーボードからの入力作業時にモニタ筐体に取付けて原稿ホルダーとする場合、下記に列記する多くの特徴がある。
１）不使用時は、モニタ枠部に折畳めるので保管スペースを占有せず（邪魔にならず）、使用時はモニタに最近接した見易い位置に原稿を挟持保持し得る。
２）原稿ホルダーとして用いた場合は、予め多数枚の原稿をセットした状態から入力済みの一枚ずつが抜き取れて、入力作業が楽に効率良く行い得る。
３）表面パネルを透明体としたことと関連して、原稿の移送操作により入力行単位の視認送りが可能である。
【００４１】
４）端部を折曲げ加工した構成では、原稿を端部まで引上げた場合も折れ曲らず原稿が立設掲示され、座高の低いノート型に取付けた場合も原稿が机上で折曲ることなく見易い高さ位置に係止保持される。
５）モニタ用原稿ホルダーとする場合は、両支持端に回動穴を設けると共に、回動シャフトを備えた保持ブラケットをモニタ筐体に取付ける構成により、モニタ左右両側方の何れの取付け配置にも対応可能とし得る。
６）少なくとも、表面パネルを透明樹脂素材で成型加工した場合は、意匠的にもユニークで見栄えが良く、構造が簡単であり低コスト実施が出来る。
７）本ペーパーホルダーは、所謂、片端支持型の“落ちないクリップ”として電話機近傍や車のダッシュボード、更には、モニタ、冷蔵庫、机側面等に取付けるメモクリップや番組表、スケジュール等の掲示用として用いる場合にも便利で大いに効果を発揮する。
【図面の簡単な説明】
【図１】ローラーを用いた本発明の作動原理を説明する為の実験モデルである。
【図２】ボールを用いた本発明の作動原理を説明する為の実験モデルである。
【図３】転動体による用紙挟持機能の基本原理説明用の断面図である。
【図４】本ペーパーホルダーの第１実施例及び機能説明用の斜視図と構造断面である。
【図５】用紙を端部まで引上げても原稿が折れ曲らない第８実施例の説明図である。
【図６】第２実施例ペーパーホルダーの斜視図と各構成細部である。
【図７】第３実施例ペーパーホルダーの斜視図と構成細部である。
【図８】転動体を用いたペーパーホルダー説明用の断面図である。
【図９】串歯ゴム板を用いた第４実施例の斜視図及び挟持部材斜視図と断面図である。
【図１０】第５実施例の斜視図と各構成細部である。
【図１１】第６実施例の外観斜視図と内部構造である。
【図１２】第７実施例の外観斜視図である。
【図１３】第８実施例の各部構成説明用の斜視図である。
【図１４】第９実施例の外観斜視図である。
【図１５】原稿ホルダーとする場合の各種保持ブラケットと回動動作の説明用図面である。
【図１６】転動体の変形例を説明するため斜視図である。
【図１７】原稿ホルダーをモニタに取付けた実施例である。
【図１８】原稿ホルダーをノート型に取付けた実施例である。
【図１９】特許文献１の実開昭５３−７６０２５号公報から引用した開示技術である。
【図２０】特許文献２の特許第２９７２４７８号公報から引用した開示技術である。
【図２１】特許文献３の特公昭５９−４４２３６号公報から引用した開示技術である。
【図２２】特許文献４の特許第２５２９６１７号公報から引用した開示図面である。
【図２３】従来のパソコン用データホルダーの実施例である。
【符号の説明】
１    ペーパーホルダー（ＰＨ）
２    表面パネル
３    裏面ブラケット
４    ボード
５ａ  支持端部
５ｂ  支持端部
６ａ、６ｂ、６ｃ、６ｄ  固定ネジ
７    カーソル線
８    用紙
９    挿入口
１０    抜取口
１１    ローラー
１２    傾斜部
１３    保持ブラケット
１４    モニタ
１５    最終行
１６ａ、１６ｂ  三角板
１７    挿入ガイド部
１８    案内塀
１９    ボール
２０    転動体
２１ａ、２１ｂ  仕切り塀
２２ａ、２２ｂ  位置決めロッド
２３ａ、２３ｂ、２３ｃ、２３ｄ  タップ穴
２４ａ、２４ｂ  位置決め穴
２５ａ、２５ｂ、２５ｃ、２５ｄ  ネジ穴
２６    傾斜溝
２７ａ、２７ｂ  回動穴
２８    粘着テープ
２９    湾曲部
３０    串歯状ゴム
３１    溝部
３２    串歯ゴム
３３    取付底部
３４    多角形
３５ａ、３５ｂ、３５ｃ、３５ｄ  凸部
３６    切欠部
３７    シャフト穴
３８    タップ
３９    ネジシャフト
４０    クリップ式ホルダー
４１    主板
４２    挟み板
４３    支点ピン
４４    スプリング
４５    シャフト
４６    接触面
４７    ノート型
４８    上蓋
４９    埋込溝